(57)【要約】      （修正有）【課題】第２の通信デバイス上のアプリケーションを第１の通信デバイス最後のユーザアクセスポイントにおいてアクセスを再開する。【解決手段】電子コンテンツにアクセスするための装置および方法は、サーバシステム１０６と、第１の通信デバイス１０２と、第２の通信デバイス１０４とを含む。サーバシステムは、第１の通信デバイスによって開始されるマーカ要求を受信するように動作可能であり、マーカ要求はマーカ情報１２４とデータキー情報１２６とを備える。マーカ情報は、第１の通信デバイス上でのコンテンツの保存状態を表し、データキー情報は、コンテンツに対応するコンテンツ識別子と、ユーザ識別子とを備える。次いで、サーバシステムは、マーカ要求のマーカ情報とデータキー情報とに基づいて、第１の通信デバイス上でのコンテンツの保存状態で、第２の通信デバイス上でコンテンツへのアクセスを開始するように動作する。【選択図】図１
2014209355.tif 000002
【特許請求の範囲】
【請求項１】
第１の通信デバイスによって開始されるマーカ要求をサーバシステムにおいて受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記サーバシステムにおいて前記マーカ要求を保存することと、
要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ再開要求に対応する、
一致が判断された場合、前記サーバシステムからコンテンツサーバへのまたは前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、を備える電子コンテンツへのアクセスを管理する方法。
【請求項２】
前記第２の通信デバイスに対応する第２のデバイスケイパビリティ情報を前記サーバシステムにおいて受信することと、
前記サーバシステムから前記コンテンツサーバにまたは前記第２の通信デバイスにコンテンツフォーマッティング情報を送信することと、ここで、前記コンテンツフォーマッティング情報は、前記第２の通信デバイス上での前記コンテンツの提示に影響を及ぼす前記第２のデバイスケイパビリティ情報の少なくとも一部分に基づき、前記コンテンツフォーマッティング情報は、前記第２の通信デバイス上での提示のために前記コンテンツを再フォーマッティングするように前記コンテンツサーバ上でまたは前記第２の通信デバイス上で動作可能である、をさらに備える、請求項１の方法。
【請求項３】
前記第２の通信デバイスに対応する第２のデバイスケイパビリティ情報を前記サーバシステムにおいて受信することと、
前記第２の通信デバイス上での提示のために前記コンテンツを前記サーバシステムにおいて再フォーマッティングすることと、ここで、前記再フォーマッティングすることは、前記第２の通信デバイス上での前記コンテンツの前記提示に影響を及ぼす前記第２のデバイスケイパビリティ情報の少なくとも一部分に基づく、
前記第２の通信デバイスに前記再フォーマッティングされたコンテンツを送信することと、をさらに備える、請求項１の方法。
【請求項４】
前記第１の通信デバイスに対応する第１のデバイスケイパビリティ情報と、前記第２の通信デバイスに対応する第２のデバイスケイパビリティ情報とを前記サーバシステムにおいて受信することと、
前記第１のデバイスケイパビリティ情報と前記第２のデバイスケイパビリティ情報との間の差に基づいて前記マーカ情報を調整することと、ここで、前記差が、前記第２の通信デバイス上での前記コンテンツの提示に影響を及ぼす前記第２のデバイスケイパビリティ情報の少なくとも一部分に対応する、をさらに備え、
前記マーカ情報の前記送信を開始することは、前記サーバシステムから前記コンテンツサーバへのまたは前記第２の通信デバイスへの前記調整されたマーカ情報の送信を開始することをさらに備える、請求項１の方法。
【請求項５】
前記マーカ情報を受信することは、ゲームステータスまたは電子的に読取り可能な文書中のロケーションのうちの少なくとも１つを受信することをさらに備える、請求項１の方法。
【請求項６】
第１の通信デバイスによって開始されるマーカ要求を受信することをコンピュータに行わせるための少なくとも１つの命令と、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記マーカ要求を保存することを前記コンピュータに行わせるための少なくとも１つの命令と、
要求コンテンツ識別子およびリクエスタ識別子と、それぞれ、前記コンテンツ識別子および前記ユーザ識別子との間の一致を判断することを前記コンピュータに行わせるための少なくとも１つの命令と、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始することを前記コンピュータに行わせるための少なくとも１つの命令と、ここで、前記マーカ情報は、前記第１の通信デバイス上での前記コンテンツの保存状態で、前記第２の通信デバイス上で前記コンテンツへのアクセスを開始するように動作可能である、を備えるコンピュータ可読媒体を備える電子コンテンツへのアクセスを管理するためのコンピュータプログラム製品。
【請求項７】
第１の通信デバイスによって開始されるマーカ要求を受信するための第１のモジュールと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記マーカ要求を保存するための第２のモジュールと、
要求コンテンツ識別子およびリクエスタ識別子と、それぞれ、前記コンテンツ識別子および前記ユーザ識別子との間の一致を判断するための第３のモジュールと、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始するための第４のモジュールと、ここで、前記マーカ情報は、前記第１の通信デバイス上での前記コンテンツの保存状態で、前記第２の通信デバイス上で前記コンテンツへのアクセスを開始するように動作可能である、を備える電子コンテンツへのアクセスを管理するように構成された少なくとも１つのプロセッサ。
【請求項８】
第１の通信デバイスによって開始されるマーカ要求を受信するための手段と、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記マーカ要求を保存するための手段と、
要求コンテンツ識別子およびリクエスタ識別子と、それぞれ、前記コンテンツ識別子および前記ユーザ識別子との間の一致を判断するための手段と、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始するための手段と、ここで、前記マーカ情報は、前記第１の通信デバイス上での前記コンテンツの保存状態で、前記第２の通信デバイス上で前記コンテンツへのアクセスを開始するように動作可能である、を備える電子コンテンツへのアクセスを管理するための装置。
【請求項９】
第１の通信デバイスによって開始されるマーカ要求を受信するように動作可能な通信モジュールと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記通信モジュールは、第２の通信デバイスによって送信されるコンテンツ再開要求を受信するようにさらに動作可能であり、前記コンテンツ再開要求は、要求コンテンツ識別子と、リクエスタ識別子とを備える、
前記マーカ要求を保存するように動作可能なメモリと、
前記要求コンテンツ識別子および前記リクエスタ識別子と、それぞれ、前記コンテンツ識別子および前記ユーザ識別子との間の一致を判断するように動作可能な、マーカプログラムを備えるマーカモジュールと、を備え、
前記マーカモジュールは、一致が判断された場合、前記サーバシステムからコンテンツサーバへのまたは前記第２の通信デバイスへの前記マーカ情報の送信を開始するようにさらに動作可能であり、前記マーカ情報は、前記第１の通信デバイス上での前記コンテンツの保存状態で、前記第２の通信デバイス上で前記コンテンツへのアクセスを開始するように動作可能である、
電子コンテンツへのアクセスを管理するためのサーバシステム。
【請求項１０】
前記通信モジュールは、前記第２の通信デバイスに対応する第２のデバイスケイパビリティ情報を受信するようにさらに動作可能であり、前記マーカモジュールは、前記コンテンツサーバにまたは前記第２の通信デバイスにコンテンツフォーマッティング情報を送信するようにさらに動作可能であり、前記コンテンツフォーマッティング情報は、前記第２の通信デバイス上での前記コンテンツの提示に影響を及ぼす前記第２のデバイスケイパビリティ情報の少なくとも一部分に基づき、前記コンテンツフォーマッティング情報は、前記第２の通信デバイス上での提示のために前記コンテンツを再フォーマッティングするように前記コンテンツサーバ上でまたは前記第２の通信デバイス上で動作可能である、請求項９のサーバシステム。
【請求項１１】
前記通信モジュールは、前記第２の通信デバイスに対応する第２のデバイスケイパビリティ情報を受信するようにさらに動作可能であり、前記マーカモジュールは、前記第２の通信デバイス上での提示のために前記コンテンツを前記サーバシステムにおいて再フォーマッティングするようにさらに動作可能であり、前記再フォーマッティングすることは、前記第２の通信デバイス上での前記コンテンツの前記提示に影響を及ぼす前記第２のデバイスケイパビリティ情報の少なくとも一部分に基づき、前記通信モジュールは、前記第２の通信デバイスに前記再フォーマッティングされたコンテンツを送信するようにさらに動作可能である、請求項９のサーバシステム。
【請求項１２】
前記通信モジュールは、前記第１の通信デバイスに対応する第１のデバイスケイパビリティ情報と、前記第２の通信デバイスに対応する第２のデバイスケイパビリティ情報とを受信するようにさらに動作可能であり、前記マーカモジュールは、前記第１のデバイスケイパビリティ情報と前記第２のデバイスケイパビリティ情報との間の差に基づいて前記マーカ情報を調整するようにさらに動作可能であり、前記差は、前記第２の通信デバイス上での前記コンテンツの提示に影響を及ぼす前記第２のデバイスケイパビリティ情報の少なくとも一部分に対応し、前記マーカ情報は、前記調整されたマーカ情報をさらに備える、請求項９のサーバシステム。
【請求項１３】
前記マーカ情報は、ゲームステータスまたは電子的に読取り可能な文書中のロケーションのうちの少なくとも１つをさらに備える、請求項９のサーバシステム。
【請求項１４】
第２の通信デバイスによって送信されるコンテンツ再開要求をコンテンツサーバにおいて受信することと、ここで、前記コンテンツ再開要求は、要求コンテンツ識別子と、リクエスタ識別子とを備える、
前記コンテンツ再開要求に基づいて前記コンテンツサーバからマーカサーバに情報再開要求を送信することと、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信することと、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信することと、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備える電子コンテンツを与える方法。
【請求項１５】
前記第２の通信デバイスに情報を送信することは、前記保存状態で前記コンテンツを送信することをさらに備える、請求項１４の方法。
【請求項１６】
前記第２の通信デバイスに情報を送信することは、前記マーカ情報を送信することをさらに備える、請求項１４の方法。
【請求項１７】
前記第２の通信デバイスに対応する第２のデバイスケイパビリティ情報を受信することと、
前記第２の通信デバイス上での提示のために前記コンテンツを再フォーマッティングすることと、ここで、前記再フォーマッティングすることは、前記第２の通信デバイス上での前記コンテンツの前記提示に影響を及ぼす前記第２のデバイスケイパビリティ情報の少なくとも一部分に基づく、をさらに備え、
前記第２の通信デバイスに情報を送信することは、前記第２の通信デバイスに前記再フォーマッティングされたコンテンツを送信することをさらに備える、請求項１４の方法。
【請求項１８】
前記マーカ情報を受信することは、ゲームステータスまたは電子的に読取り可能な文書中のロケーションのうちの少なくとも１つを受信することをさらに備える、請求項１４の方法。
【請求項１９】
第２の通信デバイスによって送信されるコンテンツ再開要求を受信することをコンピュータに行わせるための少なくとも１つの命令と、ここで、前記コンテンツ再開要求は、要求コンテンツ識別子と、リクエスタ識別子とを備える、
前記コンテンツ再開要求に基づいてマーカサーバに情報再開要求を送信することを前記コンピュータに行わせるための少なくとも１つの命令と、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信することを前記コンピュータに行わせるための少なくとも１つの命令と、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信することを前記コンピュータに行わせるための少なくとも１つの命令と、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備えるコンピュータ可読媒体、を備える電子コンテンツを与えるためのコンピュータプログラム製品。
【請求項２０】
第２の通信デバイスによって送信されるコンテンツ再開要求を受信するための第１のモジュールと、ここで、前記コンテンツ再開要求は、要求コンテンツ識別子と、リクエスタ識別子とを備える、
前記コンテンツ再開要求に基づいてマーカサーバに情報再開要求を送信するための第２のモジュールと、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するための第３のモジュールと、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信するための第４のモジュールと、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備える電子コンテンツを与えるように構成された少なくとも１つのプロセッサ。
【請求項２１】
第２の通信デバイスによって送信されるコンテンツ再開要求を受信するための手段と、ここで、前記コンテンツ再開要求は、要求コンテンツ識別子と、リクエスタ識別子とを備える、
前記コンテンツ再開要求に基づいてマーカサーバに情報再開要求を送信するための手段と、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するための手段と、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信するための手段と、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備える電子コンテンツを与えるための装置。
【請求項２２】
第２の通信デバイスによって送信されるコンテンツ再開要求を受信するように動作可能な通信モジュールと、ここで、前記コンテンツ再開要求は、要求コンテンツ識別子と、リクエスタ識別子とを備える、通信モジュールと、
前記コンテンツ再開要求に基づいて、マーカサーバに送信するための情報再開要求を生成するように動作可能なコンテンツモジュールと、ここで、前記情報再開要求は、要求コンテンツ識別子と、リクエスタ識別子とを備える、コンテンツモジュールとを備え、
前記通信モジュールは、前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するようにさらに動作可能であり、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、
前記コンテンツモジュールは、前記マーカ情報に基づいて前記第２の通信デバイスへの情報の送信を開始するようにさらに動作可能であり、前記情報は、前記マーカ情報に基づいて前記第１の通信デバイス上での前記コンテンツの保存状態で、前記第２の通信デバイス上で前記コンテンツへのアクセスを開始するように動作可能である、電子コンテンツを与えるためのサーバ。
【請求項２３】
前記コンテンツモジュールは、前記保存状態で前記コンテンツを送信するための前記送信を開始するようにさらに動作可能である、請求項２２のサーバ。
【請求項２４】
前記コンテンツモジュールは、前記マーカ情報を送信するための前記送信を開始するようにさらに動作可能である、請求項２２のサーバ。
【請求項２５】
前記通信モジュールは、前記第２の通信デバイスに対応する第２のデバイスケイパビリティ情報を受信するようにさらに動作可能であり、前記コンテンツモジュールは、前記第２の通信デバイス上での提示のために前記コンテンツを再フォーマッティングするようにさらに動作可能であり、前記再フォーマッティングすることは、前記第２の通信デバイス上での前記コンテンツの前記提示に影響を及ぼす前記第２のデバイスケイパビリティ情報の少なくとも一部分に基づき、前記コンテンツモジュールは、前記第２の通信デバイスに前記再フォーマッティングされたコンテンツを送信するための前記送信を開始するようにさらに動作可能である、請求項２２のサーバ。
【請求項２６】
前記マーカ情報は、ゲームステータスまたは電子的に読取り可能な文書中のロケーションのうちの少なくとも１つをさらに備える、請求項２２のサーバ。
【請求項２７】
第１の通信デバイスにおいて記憶されたコンテンツにアクセスすることと、
前記第１の通信デバイスにおいてマーカ要求を生成することと、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信することと、ここで、前記マーカ情報は、前記第１の通信デバイス上での前記コンテンツの保存状態で、第２の通信デバイス上で前記コンテンツへのアクセスを開始するように動作可能である、を備える電子コンテンツにアクセスするための方法。
【請求項２８】
前記マーカ要求を送信することは、前記第１の通信デバイスのためのデバイスケイパビリティ情報を得ることと、前記コンテンツに影響を及ぼす前記デバイスケイパビリティ情報の少なくとも一部分を前記マーカ要求に含めることとをさらに備える、請求項２７の方法。
【請求項２９】
前記コンテンツを実行することを再開したいという要求を前記第１の通信デバイスにおいて生成することと、ここで、前記コンテンツを実行することを再開したいという前記要求は、要求コンテンツ識別子と、リクエスタ識別子とを備える、
前記マーカ要求の前記マーカ情報に基づいて、前記第１の通信デバイス上での前記コンテンツの保存状態で前記コンテンツ、または前記マーカ情報のいずれかを受信することと、ここで、前記受信することは、前記要求コンテンツ識別子および前記リクエスタ識別子と、それぞれ、マーカ情報およびデータキー情報との間の一致を前記サーバシステムが判断したことに基づく、
前記マーカ要求の前記マーカ情報に基づいて、前記第１の通信デバイス上での前記コンテンツの保存状態で前記コンテンツを実行することと、をさらに備える、請求項２７の方法。
【請求項３０】
前記マーカ要求を生成することは、ゲームステータスまたは電子的に読取り可能な文書中のロケーションのうちの少なくとも１つを生成することをさらに備える、請求項２７の方法。
【請求項３１】
第１の通信デバイスにおいて記憶されたコンテンツにアクセスすることをコンピュータに行わせるための少なくとも１つの命令と、
前記第１の通信デバイスにおいてマーカ要求を生成することを前記コンピュータに行わせるための少なくとも１つの命令と、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信することを前記コンピュータに行わせるための少なくとも１つの命令と、ここで、前記マーカ情報は、前記第１の通信デバイス上での前記コンテンツの保存状態で、第２の通信デバイス上で前記コンテンツへのアクセスを開始するように動作可能である、を備えるコンピュータ可読媒体、を備える電子コンテンツにアクセスするためのコンピュータプログラム製品。
【請求項３２】
第１の通信デバイスにおいて記憶されたコンテンツにアクセスするための第１のモジュールと、
前記第１の通信デバイスにおいてマーカ要求を生成するための第２のモジュールと、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信するための第３のモジュールと、ここで、前記マーカ情報は、前記第１の通信デバイス上での前記コンテンツの保存状態で、第２の通信デバイス上で前記コンテンツへのアクセスを開始するように動作可能である、を備える電子コンテンツにアクセスするように構成された少なくとも１つのプロセッサ。
【請求項３３】
第１の通信デバイスにおいて記憶されたコンテンツにアクセスするための手段と、
前記第１の通信デバイスにおいてマーカ要求を生成するための手段と、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信するための手段と、ここで、前記マーカ情報は、前記第１の通信デバイス上での前記コンテンツの保存状態で、第２の通信デバイス上で前記コンテンツへのアクセスを開始するように動作可能である、を備える電子コンテンツにアクセスするための装置。
【請求項３４】
提示マネージャモジュールとコンテンツとを備えるメモリと、
前記メモリ中の前記コンテンツにアクセスするために前記提示マネージャモジュールを実行するように動作可能なプロセッサと、を備え、
前記プロセッサは、マーカ要求を生成するために前記提示マネージャモジュールを実行するようにさらに動作可能であり、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備え、
前記プロセッサは、後で前記コンテンツへのアクセスを与える際に使用するために前記マーカ要求を前記第１の通信デバイスからサーバシステムに送信するために前記提示マネージャモジュールを実行するようにさらに動作可能であり、前記マーカ情報は、前記第１の通信デバイス上での前記コンテンツの保存状態で、第２の通信デバイス上で前記コンテンツへのアクセスを開始するように動作可能である、電子コンテンツにアクセスするための第１の通信デバイス。
【請求項３５】
前記メモリは、前記第１の通信デバイスのためのデバイスケイパビリティ情報を備え、前記プロセッサは、前記コンテンツに影響を及ぼす前記デバイスケイパビリティ情報の少なくとも一部分を前記マーカ要求に含めるために前記提示マネージャモジュールを実行するようにさらに動作可能である、請求項３４の第１の通信デバイス。
【請求項３６】
前記プロセッサは、前記コンテンツを実行することを再開したいという要求を前記第１の通信デバイスにおいて生成するために前記提示マネージャモジュールを実行するようにさらに動作可能であり、前記コンテンツを実行することを再開したいという前記要求は、要求コンテンツ識別子と、リクエスタ識別子とを備え、
前記プロセッサは、前記マーカ要求の前記マーカ情報に基づいて、前記第１の通信デバイス上での前記コンテンツの保存状態で前記コンテンツ、または前記マーカ情報のいずれかを受信するために前記提示マネージャモジュールを実行するようにさらに動作可能であり、前記受信することは、前記要求コンテンツ識別子および前記リクエスタ識別子と、それぞれ、マーカ情報およびデータキー情報との間の一致を前記サーバシステムが判断したことに基づき、
前記プロセッサは、前記マーカ要求の前記マーカ情報に基づいて、前記第１の通信デバイス上での前記コンテンツの保存状態で前記コンテンツを実行するようにさらに動作可能である、請求項３４の通信デバイス。
【請求項３７】
前記マーカ要求は、ゲームステータスまたは電子的に読取り可能な文書中のロケーションのうちの少なくとも１つをさらに備える、請求項３４の第１の通信デバイス。
【請求項３８】
コンテンツを再開したいという要求を第２の通信デバイスからサーバシステムに送信することと、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信することと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスすることと、を備える電子コンテンツにアクセスする方法。
【請求項３９】
前記第２の通信デバイスにおいて情報を受信することは、前記保存状態で前記コンテンツを受信することをさらに備える、請求項３８の方法。
【請求項４０】
前記第２の通信デバイスにおいて情報を受信することは、前記マーカ情報を受信することをさらに備える、請求項３８の方法。
【請求項４１】
前記第２の通信デバイスに対応する第２のデバイスケイパビリティ情報を前記サーバシステムに送信することをさらに備え、
前記第２の通信デバイスにおいて情報を受信することは、再フォーマッティングされたコンテンツを前記第２の通信デバイスにおいて受信することをさらに備え、前記再フォーマッティングされたコンテンツは、前記第２の通信デバイス上での前記コンテンツの提示に影響を及ぼす前記第２のデバイスケイパビリティ情報の少なくとも一部分に基づいて、前記第２の通信デバイス上での前記提示のために再フォーマッティングされた前記コンテンツを備える、
請求項３８の方法。
【請求項４２】
前記第２の通信デバイス上で前記コンテンツにアクセスすることは、ゲームステータスまたは電子的に読取り可能な文書中のロケーションのうちの少なくとも１つにアクセスすることをさらに備える、請求項３８の方法。
【請求項４３】
コンテンツを再開したいという要求を第２の通信デバイスからサーバシステムに送信することをコンピュータに行わせるための少なくとも１つの命令と、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信することを前記コンピュータに行わせるための少なくとも１つの命令と、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は。マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスすることを前記コンピュータに行わせるための少なくとも１つの命令と、を備えるコンピュータ可読媒体、を備える電子コンテンツにアクセスするためのコンピュータプログラム製品。
【請求項４４】
コンテンツを再開したいという要求を第２の通信デバイスからサーバシステムに送信するための第１のモジュールと、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するための第２のモジュールと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスするための第３のモジュールと、を備える電子コンテンツにアクセスするように構成された少なくとも１つのプロセッサ。
【請求項４５】
コンテンツを再開したいという要求を第２の通信デバイスからサーバシステムに送信するための手段と、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するための手段と、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスするための手段と、を備える電子コンテンツにアクセスするための装置。
【請求項４６】
コンテンツを提示するように動作可能な提示マネージャモジュールを備えるメモリと、
コンテンツを再開したいという要求をサーバシステムに送信するために前記提示マネージャモジュールを実行するように動作可能なプロセッサと、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するように動作可能な通信モジュールと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、通信モジュールと、を備え、
前記プロセッサは、前記マーカ情報に基づいて前記第１の通信デバイス上での前記コンテンツの保存状態で、前記第２の通信デバイス上で前記コンテンツにアクセスするために前記提示マネージャモジュールを実行するようにさらに動作可能である、電子コンテンツにアクセスするための第２の通信デバイス。
【請求項４７】
前記情報は、前記保存状態での前記コンテンツをさらに備える、請求項４６の第２の通信デバイス。
【請求項４８】
前記情報は、前記マーカ情報をさらに備える、請求項４６の第２の通信デバイス。
【請求項４９】
前記プロセッサは、前記第２の通信デバイスに対応する第２のデバイスケイパビリティ情報を前記サーバシステムに送信するために前記提示マネージャモジュールを実行するようにさらに動作可能であり、
前記情報は、再フォーマッティングされたコンテンツをさらに備え、前記再フォーマッティングされたコンテンツは、前記第２の通信デバイス上での前記コンテンツの提示に影響を及ぼす前記第２のデバイスケイパビリティ情報の少なくとも一部分に基づいて、前記第２の通信デバイス上での前記提示のために再フォーマッティングされた前記コンテンツを備える、請求項４６の第２の通信デバイス。
【請求項５０】
前記コンテンツは、ゲームステータスまたは電子的に読取り可能な文書中のロケーションのうちの少なくとも１つを備える、請求項４６の第２の通信デバイス。
【発明の詳細な説明】
【技術分野】
【０００１】
本発明は、一般にワイヤレス通信に関し、より詳細には、第１のユーザ端末へのコンテンツの取出しを管理し、コンテンツ内のロケーションをマーキングし、マーカをサーバに記憶し、コンテンツ内のマーキングされたロケーションにおいてコンテンツを第２のユーザ端末に取り出すための方法およびシステムに関する。
【背景技術】
【０００２】
インターネット、電子ブック、およびゲームなど、様々なコンテンツにアクセスするために、ワイヤレス電話ユーザ端末、および他のワイヤレス端末（本明細書ではユーザ端末またはＵＴ）を使用することは珍しくなくなった。ワイヤレス端末を使用して、ユーザは、リモートサーバにアクセスして、所望のコンテンツを取り出すことができる。ゲーム、または電子ブックなどデジタル的に記憶された読み物の場合、ユーザは、コンテンツをダウンロードし、コンテンツを使用する。ユーザがコンテンツの使用を終了することを望むとき、リモートサーバは通知されることもあり、通知されないこともある。
【０００３】
電子ブックまたはゲームの場合、ＵＴは、リモートサーバへのアクセスを可能にするデータキーを送信することができる。ＵＴは、電子ブック、ゲーム、または他のコンテンツをＵＴにダウンロードし、記憶する。ユーザは、コンテンツへの現在のアクセスを終了することに決めたとき、たとえば、コンテンツにアクセスしているＵＴ上のアプリケーションを閉じる。ユーザが最後のアクセスポイントにおいてコンテンツへのアクセスを再開することを望むとき、ＵＴ上のアプリケーションは最後のユーザアクセスポイントにおいてアクセスを再開する。
【０００４】
しかしながら、ユーザが第２のＵＴからそのコンテンツの使用を再開することを望むとき、ユーザはコンテンツ全体をダウンロードしなければならない。より詳細には、ユーザがコンテンツを第２のＵＴにダウンロードするためにサーバにアクセスした場合、ユーザが最後にアクセスしたコンテンツ中の場所のいかなる印もなしにコンテンツ全体がダウンロードされる。
【０００５】
したがって、２つ以上のＵＴから同じコンテンツにアクセスすることが問題となる。
【発明の概要】
【０００６】
電子コンテンツへのアクセスまたは電子コンテンツの使用を管理するシステム、装置、および方法について説明する。説明する態様では、ユーザは、ユーザが後でコンテンツを再開することを望むロケーションをマーキングし、そのマーカをサーバに記憶することが可能であり、デバイス間で切替えを行い、マーキングされたロケーションにおいてそのコンテンツへのアクセスを再開する能力がユーザに与えられる。
【０００７】
一態様では、電子コンテンツへのアクセスを管理する方法が、第１の通信デバイスによって開始されるマーカ要求をサーバシステムにおいて受信することを備える。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。方法は、サーバシステムにおいてマーカ要求を保存することと、要求コンテンツ識別子およびリクエスタ識別子と、それぞれ、上記コンテンツ識別子およびユーザ識別子との間の一致を判断することとをさらに含む。要求コンテンツ識別子およびリクエスタ識別子は、第２の通信デバイスによって送信されるコンテンツ再開要求に対応する。さらに、方法は、一致が判断された場合、サーバシステムからコンテンツサーバへのまたは第２の通信デバイスへのマーカ情報の送信を開始することを含み、マーカ情報は、第１の通信デバイス上でのコンテンツの保存状態で、第２の通信デバイス上でコンテンツへのアクセスを開始するように動作可能である。
【０００８】
別の態様では、電子コンテンツへのアクセスを管理するためのコンピュータプログラム製品が、命令を備えるコンピュータ可読媒体を備える。コンピュータ可読媒体は、第１の通信デバイスによって開始されるマーカ要求を受信することをコンピュータに行わせるための少なくとも１つの命令を含む。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。コンピュータ可読媒体は、マーカ要求を保存することをコンピュータに行わせるための少なくとも１つの命令と、要求コンテンツ識別子およびリクエスタ識別子と、それぞれ、上記コンテンツ識別子およびユーザ識別子との間の一致を判断することをコンピュータに行わせるための少なくとも１つの命令とをさらに含む。要求コンテンツ識別子およびリクエスタ識別子は、第２の通信デバイスによって送信されるコンテンツ再開要求に対応する。さらに、コンピュータ可読媒体は、一致が判断された場合、コンテンツサーバへのまたは第２の通信デバイスへのマーカ情報の送信を開始することをコンピュータに行わせるための少なくとも１つの命令をさらに含み、マーカ情報は、第１の通信デバイス上でのコンテンツの保存状態で、第２の通信デバイス上でコンテンツへのアクセスを開始するように動作可能である。
【０００９】
さらなる態様では、電子コンテンツへのアクセスを管理するように構成された少なくとも１つのプロセッサが、第１の通信デバイスによって開始されるマーカ要求を受信するための第１のモジュールを備え、マーカ要求はマーカ情報とデータキー情報とを備える。マーカ情報は、第１の通信デバイス上でのコンテンツの保存状態を表し、データキー情報は、コンテンツに対応するコンテンツ識別子と、ユーザ識別子とを備える。少なくとも１つのプロセッサは、マーカ要求を保存するための第２のモジュールと、要求コンテンツ識別子およびリクエスタ識別子と、それぞれ、上記コンテンツ識別子およびユーザ識別子との間の一致を判断するための第３のモジュールとをさらに含む。要求コンテンツ識別子およびリクエスタ識別子は、第２の通信デバイスによって送信されるコンテンツ再開要求に対応する。さらに、少なくとも１つのプロセッサは、一致が判断された場合、コンテンツサーバへのまたは第２の通信デバイスへのマーカ情報の送信を開始するための第４のモジュールを含み、マーカ情報は、第１の通信デバイス上でのコンテンツの保存状態で、第２の通信デバイス上でコンテンツへのアクセスを開始するように動作可能である。
【００１０】
別の態様では、電子コンテンツへのアクセスを管理するための装置が、第１の通信デバイスによって開始されるマーカ要求を受信するための手段を備え、マーカ要求がマーカ情報とデータキー情報とを備える。マーカ情報は、第１の通信デバイス上でのコンテンツの保存状態を表し、データキー情報は、コンテンツに対応するコンテンツ識別子と、ユーザ識別子とを備える。装置はまた、マーカ要求を保存するための手段と、要求コンテンツ識別子およびリクエスタ識別子と、それぞれ、上記コンテンツ識別子およびユーザ識別子との間の一致を判断するための手段とを含む。要求コンテンツ識別子およびリクエスタ識別子は、第２の通信デバイスによって送信されるコンテンツ再開要求に対応する。さらに、装置は、一致が判断された場合、コンテンツサーバへのまたは第２の通信デバイスへのマーカ情報の送信を開始するための手段を含み、マーカ情報は、第１の通信デバイス上でのコンテンツの保存状態で、第２の通信デバイス上でコンテンツへのアクセスを開始するように動作可能である。
【００１１】
さらに別の態様では、電子コンテンツへのアクセスを管理するためのサーバシステムが、第１の通信デバイスによって開始されるマーカ要求を受信するように動作可能な通信モジュールを備え、マーカ要求はマーカ情報とデータキー情報とを備える。マーカ情報は、第１の通信デバイス上でのコンテンツの保存状態を表し、データキー情報は、コンテンツに対応するコンテンツ識別子と、ユーザ識別子とを備え、通信モジュールは、第２の通信デバイスによって送信されるコンテンツ再開要求を受信するようにさらに動作可能であり、コンテンツ再開要求は、要求コンテンツ識別子と、リクエスタ識別子とを備える。サーバシステムはまた、マーカ要求を保存するように動作可能なメモリと、要求コンテンツ識別子およびリクエスタ識別子と、それぞれ、上記コンテンツ識別子およびユーザ識別子との間の一致を判断するように動作可能な、マーカプログラムを備えるマーカモジュールとを含む。さらに、マーカモジュールは、一致が判断された場合、サーバシステムからコンテンツサーバへのまたは第２の通信デバイスへのマーカ情報の送信を開始するようにさらに動作可能であり、マーカ情報は、第１の通信デバイス上でのコンテンツの保存状態で、第２の通信デバイス上でコンテンツへのアクセスを開始するように動作可能である。
【００１２】
一態様では、電子コンテンツを与える方法が、第２の通信デバイスによって送信されるコンテンツ再開要求をコンテンツサーバにおいて受信することを備え、コンテンツ再開要求は、要求コンテンツ識別子と、リクエスタ識別子とを備える。方法はまた、コンテンツ再開要求に基づいてコンテンツサーバからマーカサーバに情報再開要求を送信することを含み、情報再開要求は、要求コンテンツ識別子と、リクエスタ識別子とを備える。さらに、方法は、要求コンテンツ識別子およびリクエスタ識別子と、それぞれ、マーカ情報およびデータキー情報との間の一致をマーカサーバが判断したことに基づいて、マーカサーバからマーカ情報を受信することをさらに含む。マーカ情報およびデータキー情報は、第１の通信デバイスによって送信されるマーカ要求に対応し、マーカ情報は、第１の通信デバイス上でのコンテンツの保存状態を表し、データキー情報は、コンテンツに対応するコンテンツ識別子と、ユーザ識別子とを備える。さらに、方法は、第２の通信デバイスに情報を送信することを含み、その情報は、マーカ情報に基づいて第１の通信デバイス上でのコンテンツの保存状態で、第２の通信デバイス上でコンテンツへのアクセスを開始するように動作可能である。
【００１３】
別の態様では、電子コンテンツを与えるためのコンピュータプログラム製品が、命令を備えるコンピュータ可読媒体を備える。コンピュータ可読媒体は、第２の通信デバイスによって送信されるコンテンツ再開要求を受信することをコンピュータに行わせるための少なくとも１つの命令を含み、コンテンツ再開要求は、要求コンテンツ識別子と、リクエスタ識別子とを備える。また、コンピュータ可読媒体は、コンテンツ再開要求に基づいてマーカサーバに情報再開要求を送信することをコンピュータに行わせるための少なくとも１つの命令を含み、情報再開要求は、要求コンテンツ識別子と、リクエスタ識別子とを備える。さらに、コンピュータ可読媒体は、要求コンテンツ識別子およびリクエスタ識別子と、それぞれ、マーカ情報およびデータキー情報との間の一致をマーカサーバが判断したことに基づいて、マーカサーバからマーカ情報を受信することをコンピュータに行わせるための少なくとも１つの命令を含む。マーカ情報およびデータキー情報は、第１の通信デバイスによって送信されるマーカ要求に対応し、マーカ情報は、第１の通信デバイス上でのコンテンツの保存状態を表し、データキー情報は、コンテンツに対応するコンテンツ識別子と、ユーザ識別子とを備える。さらに、コンピュータ可読媒体は、第２の通信デバイスに情報を送信することをコンピュータに行わせるための少なくとも１つの命令を含み、その情報は、マーカ情報に基づいて第１の通信デバイス上でのコンテンツの保存状態で、第２の通信デバイス上でコンテンツへのアクセスを開始するように動作可能である。
【００１４】
さらなる態様では、電子コンテンツを与えるように構成された少なくとも１つのプロセッサが、第２の通信デバイスによって送信されるコンテンツ再開要求を受信するための第１のモジュールを備え、コンテンツ再開要求は、要求コンテンツ識別子と、リクエスタ識別子とを備える。また、少なくとも１つのプロセッサは、コンテンツ再開要求に基づいてマーカサーバに情報再開要求を送信するための第２のモジュールを含み、情報再開要求は、要求コンテンツ識別子と、リクエスタ識別子とを備える。さらに、少なくとも１つのプロセッサは、要求コンテンツ識別子およびリクエスタ識別子と、それぞれ、マーカ情報およびデータキー情報との間の一致をマーカサーバが判断したことに基づいて、マーカサーバからマーカ情報を受信するための第３のモジュールを含む。マーカ情報およびデータキー情報は、第１の通信デバイスによって送信されるマーカ要求に対応し、マーカ情報は、第１の通信デバイス上でのコンテンツの保存状態を表し、データキー情報は、コンテンツに対応するコンテンツ識別子と、ユーザ識別子とを備える。さらに、少なくとも１つのプロセッサは、第２の通信デバイスに情報を送信するための第４のモジュールを含み、その情報は、マーカ情報に基づいて第１の通信デバイス上でのコンテンツの保存状態で、第２の通信デバイス上でコンテンツへのアクセスを開始するように動作可能である。
【００１５】
別の態様では、電子コンテンツを与えるための装置が、第２の通信デバイスによって送信されるコンテンツ再開要求を受信するための手段を備え、コンテンツ再開要求は、要求コンテンツ識別子と、リクエスタ識別子とを備える。さらに、装置は、コンテンツ再開要求に基づいてマーカサーバに情報再開要求を送信するための手段を含み、情報再開要求は、要求コンテンツ識別子と、リクエスタ識別子とを備える。装置はまた、要求コンテンツ識別子およびリクエスタ識別子と、それぞれ、マーカ情報およびデータキー情報との間の一致をマーカサーバが判断したことに基づいて、マーカサーバからマーカ情報を受信するための手段を含む。マーカ情報およびデータキー情報は、第１の通信デバイスによって送信されるマーカ要求に対応し、マーカ情報は、第１の通信デバイス上でのコンテンツの保存状態を表し、データキー情報は、コンテンツに対応するコンテンツ識別子と、ユーザ識別子とを備える。さらに、装置は、第２の通信デバイスに情報を送信するための手段を含み、その情報は、マーカ情報に基づいて第１の通信デバイス上でのコンテンツの保存状態で、第２の通信デバイス上でコンテンツへのアクセスを開始するように動作可能である。
【００１６】
さらに別の態様は、電子コンテンツを与えるためのサーバを含む。サーバは、第２の通信デバイスによって送信されたコンテンツ再開要求を受信するように動作可能な通信モジュールを備え、コンテンツ再開要求は、要求コンテンツ識別子と、リクエスタ識別子とを備える。さらに、本サーバは、コンテンツ再開要求に基づいて、マーカサーバに送信するための情報再開要求を生成するように動作可能なコンテンツモジュールを備え、情報再開要求は、要求コンテンツ識別子と、リクエスタ識別子とを備える。また、通信モジュールは、要求コンテンツ識別子およびリクエスタ識別子と、それぞれ、マーカ情報およびデータキー情報との間の一致をマーカサーバが判断したことに基づいて、マーカサーバからマーカ情報を受信するようにさらに動作可能である。マーカ情報およびデータキー情報は、第１の通信デバイスによって送信されるマーカ要求に対応し、マーカ情報は、第１の通信デバイス上でのコンテンツの保存状態を表し、データキー情報は、コンテンツに対応するコンテンツ識別子と、ユーザ識別子とを備える。さらに、コンテンツモジュールは、マーカ情報に基づいて第２の通信デバイスへの情報の送信を開始するように動作可能であり、情報は、マーカ情報に基づいて第１の通信デバイス上でのコンテンツの保存状態で、第２の通信デバイス上でコンテンツへのアクセスを開始するようにさらに動作可能である。
【００１７】
一態様では、電子コンテンツにアクセスするための方法が、第１の通信デバイスに記憶されたコンテンツにアクセスすることと、第１の通信デバイスにおいてマーカ要求を生成することとを備える。マーカ要求はマーカ情報とデータキー情報とを備え、マーカ情報は、第１の通信デバイス上でアクセスされたコンテンツの保存状態を表し、データキー情報は、コンテンツに対応するコンテンツ識別子と、ユーザ識別子とを備える。さらに、方法は、後でコンテンツへのアクセスを与える際に使用するためにマーカ要求を第１の通信デバイスからサーバシステムに送信することを含み、マーカ情報は、第１の通信デバイス上でのコンテンツの保存状態で、第２の通信デバイス上でコンテンツへのアクセスを開始するように動作可能である。
【００１８】
別の態様では、電子コンテンツにアクセスするためのコンピュータプログラム製品が、命令を備えるコンピュータ可読媒体を備える。コンピュータ可読媒体は、第１の通信デバイスに記憶されたコンテンツにアクセスすることをコンピュータに行わせるための少なくとも１つの命令と、第１の通信デバイスにおいてマーカ要求を生成することをコンピュータに行わせるための少なくとも１つの命令とを含む。マーカ要求はマーカ情報とデータキー情報とを備え、マーカ情報は、第１の通信デバイス上でアクセスされたコンテンツの保存状態を表し、データキー情報は、コンテンツに対応するコンテンツ識別子と、ユーザ識別子とを備える。さらに、コンピュータ可読媒体は、後でコンテンツへのアクセスを与える際に使用するためにマーカ要求を第１の通信デバイスからサーバシステムに送信することをコンピュータに行わせるための少なくとも１つの命令を含み、マーカ情報は、第１の通信デバイス上でのコンテンツの保存状態で、第２の通信デバイス上でコンテンツへのアクセスを開始するように動作可能である。
【００１９】
さらなる態様では、電子コンテンツにアクセスするように構成された少なくとも１つのプロセッサが、第１の通信デバイスに記憶されたコンテンツにアクセスするための第１のモジュールと、第１の通信デバイスにおいてマーカ要求を生成するための第２のモジュールとを備える。マーカ要求はマーカ情報とデータキー情報とを備え、マーカ情報は、第１の通信デバイス上でアクセスされたコンテンツの保存状態を表し、データキー情報は、コンテンツに対応するコンテンツ識別子と、ユーザ識別子とを備える。さらに、少なくとも１つのプロセッサは、後でコンテンツへのアクセスを与える際に使用するためにマーカ要求を第１の通信デバイスからサーバシステムに送信するための第３のモジュールを含み、マーカ情報は、第１の通信デバイス上でのコンテンツの保存状態で、第２の通信デバイス上でコンテンツへのアクセスを開始するように動作可能である。
【００２０】
さらに別の態様では、電子コンテンツにアクセスするための装置が、第１の通信デバイスにおいて記憶されたコンテンツにアクセスするための手段と、第１の通信デバイスにおいてマーカ要求を生成するための手段とを備える。マーカ要求はマーカ情報とデータキー情報とを備え、マーカ情報は、第１の通信デバイス上でアクセスされたコンテンツの保存状態を表し、データキー情報は、コンテンツに対応するコンテンツ識別子と、ユーザ識別子とを備える。さらに、装置は、後でコンテンツへのアクセスを与える際に使用するためにマーカ要求を第１の通信デバイスからサーバシステムに送信するための手段を含み、マーカ情報は、第１の通信デバイス上でのコンテンツの保存状態で、第２の通信デバイス上でコンテンツへのアクセスを開始するように動作可能である。
【００２１】
さらなる態様では、電子コンテンツにアクセスするための第１の通信デバイスが、提示マネージャモジュールとコンテンツとを備えるメモリと、メモリ中のコンテンツにアクセスするために提示マネージャモジュールを実行するように動作可能なプロセッサとを備える。プロセッサは、マーカ要求を生成するために提示マネージャモジュールを実行するようにさらに動作可能であり、マーカ要求はマーカ情報とデータキー情報とを備え、マーカ情報は、第１の通信デバイス上でアクセスされたコンテンツの保存状態を表し、データキー情報は、コンテンツに対応するコンテンツ識別子と、ユーザ識別子とを備える。さらに、プロセッサは、後でコンテンツへのアクセスを与える際に使用するためにマーカ要求を第１の通信デバイスからサーバシステムに送信するために提示マネージャモジュールを実行するようにさらに動作可能であり、マーカ情報は、第１の通信デバイス上でのコンテンツの保存状態で、第２の通信デバイス上でコンテンツへのアクセスを開始するように動作可能である。
【００２２】
一態様では、電子コンテンツにアクセスする方法が、コンテンツを再開したいという要求を第２の通信デバイスからサーバシステムに送信することを備え、コンテンツを再開したいという要求は、要求コンテンツ識別子と、リクエスタ識別子とを備える。さらに、方法は、コンテンツを再開したいという要求に応答して第２の通信デバイスにおいてサーバシステムから情報を受信することを含み、情報は、第１の通信デバイスによって生成されたマーカ要求に基づいて、第１の通信デバイス上でのコンテンツの保存状態で、第２の通信デバイス上でコンテンツへのアクセスを開始するように動作可能である。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。受信することは、コンテンツを再開したいという要求の要求コンテンツ識別子およびリクエスタ識別子と、それぞれ、マーカ要求のマーカ情報およびデータキー情報との間の一致をサーバシステムが判断したことに基づく。さらに、方法は、マーカ情報に基づいて、第１の通信デバイス上でのコンテンツの保存状態で、第２の通信デバイス上でコンテンツにアクセスすることを含む。
【００２３】
さらに別の態様では、電子コンテンツにアクセスするためのコンピュータプログラム製品が、命令を備えるコンピュータ可読媒体を備える。コンピュータ可読媒体は、コンテンツを再開したいという要求を第２の通信デバイスからサーバシステムに送信することをコンピュータに行わせるための少なくとも１つの命令を含み、コンテンツを再開したいという要求は、要求コンテンツ識別子と、リクエスタ識別子とを備える。さらに、コンピュータ可読媒体は、コンテンツを再開したいという要求に応答して、第２の通信デバイスにおいてサーバシステムから情報を受信することをコンピュータに行わせるための少なくとも１つの命令を含む。情報は、第１の通信デバイスによって生成されたマーカ要求に基づいて、第１の通信デバイス上でのコンテンツの保存状態で、第２の通信デバイス上でコンテンツへのアクセスを開始するように動作可能である。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。さらに、情報を受信することは、コンテンツを再開したいという要求の要求コンテンツ識別子およびリクエスタ識別子と、それぞれ、マーカ要求のマーカ情報およびデータキー情報との間の一致をサーバシステムが判断したことに基づく。さらに、コンピュータ可読媒体は、マーカ情報に基づいて、第１の通信デバイス上でのコンテンツの保存状態で、第２の通信デバイス上でコンテンツにアクセスすることをコンピュータに行わせるための少なくとも１つの命令を含む。
【００２４】
一態様では、電子コンテンツにアクセスするように構成された少なくとも１つのプロセッサが、コンテンツを再開したいという要求を第２の通信デバイスからサーバシステムに送信するための第１のモジュールを備え、コンテンツを再開したいという要求は、要求コンテンツ識別子と、リクエスタ識別子とを備える。少なくとも１つのプロセッサは、コンテンツを再開したいという要求に応答して、第２の通信デバイスにおいてサーバシステムから情報を受信するための第２のモジュールをさらに含む。情報は、第１の通信デバイスによって生成されたマーカ要求に基づいて、第１の通信デバイス上でのコンテンツの保存状態で、第２の通信デバイス上でコンテンツへのアクセスを開始するように動作可能である。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。さらに、情報を受信することは、コンテンツを再開したいという要求の要求コンテンツ識別子およびリクエスタ識別子と、それぞれ、マーカ要求のマーカ情報およびデータキー情報との間の一致をサーバシステムが判断したことに基づく。さらに、少なくとも１つのプロセッサは、マーカ情報に基づいて、第１の通信デバイス上でのコンテンツの保存状態で、第２の通信デバイス上でコンテンツにアクセスするための第３のモジュールを含む。
【００２５】
別の態様では、電子コンテンツにアクセスするための装置が、コンテンツを再開したいという要求を第２の通信デバイスからサーバシステムに送信するための手段を備え、コンテンツを再開したいという要求は、要求コンテンツ識別子と、リクエスタ識別子とを備える。さらに、装置は、コンテンツを再開したいという要求に応答して第２の通信デバイスにおいてサーバシステムから情報を受信するための手段を含み、情報は、第１の通信デバイスによって生成されたマーカ要求に基づいて、第１の通信デバイス上でのコンテンツの保存状態で、第２の通信デバイス上でコンテンツへのアクセスを開始するように動作可能である。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。情報を受信することは、コンテンツを再開したいという要求の要求コンテンツ識別子およびリクエスタ識別子と、それぞれ、マーカ要求のマーカ情報およびデータキー情報との間の一致をサーバシステムが判断したことに基づく。さらに、装置は、マーカ情報に基づいて、第１の通信デバイス上でのコンテンツの保存状態で、第２の通信デバイス上でコンテンツにアクセスするための手段を含む。
【００２６】
さらに別の態様では、電子コンテンツにアクセスするための第２の通信デバイスが、コンテンツを提示するように動作可能な提示マネージャモジュールを備えるメモリと、コンテンツを再開したいという要求をサーバシステムに送信するために提示マネージャモジュールを実行するように動作可能なプロセッサとを備え、コンテンツを再開したいという要求は、要求コンテンツ識別子と、リクエスタ識別子とを備える。さらに、第２の通信デバイスは、コンテンツを再開したいという要求に応答して第２の通信デバイスにおいてサーバシステムから情報を受信するように動作可能な通信モジュールを含み、情報は、第１の通信デバイスによって生成されたマーカ要求に基づいて、第１の通信デバイス上でのコンテンツの保存状態で、第２の通信デバイス上でコンテンツへのアクセスを開始するように動作可能である。マーカ要求はマーカ情報とデータキー情報とを備え、マーカ情報は、第１の通信デバイス上でのコンテンツの保存状態を表し、データキー情報は、コンテンツに対応するコンテンツ識別子と、ユーザ識別子とを備える。情報を受信することは、コンテンツを再開したいという要求の要求コンテンツ識別子およびリクエスタ識別子と、それぞれ、マーカ要求のマーカ情報およびデータキー情報との間の一致をサーバシステムが判断したことに基づく。さらに、プロセッサは、マーカ情報に基づいて、第１の通信デバイス上でのコンテンツの保存状態で、第２の通信デバイス上でコンテンツにアクセスするために提示マネージャモジュールを実行するようにさらに動作可能である。
【図面の簡単な説明】
【００２７】
【図１】一態様による、ユーザデバイス上での電子コンテンツの一部分へのアクセスを管理するためのシステムの概略ブロック図。
【図２】図１のマーカサーバの一態様のブロック図。
【図３】図１のシステムで使用するための通信デバイスの一態様の概略ブロック図。
【図４】ユーザデバイス上での電子コンテンツの一部分へのアクセスを管理するためのシステムの別の態様の概略ブロック図。
【図５】ユーザ、第１のデバイス、アプリケーションサーバ、およびマーカサーバ間の通信シーケンスの一態様のメッセージシーケンス図。
【図６】ユーザ、第２のデバイス、アプリケーションサーバ、およびマーカサーバ間の通信シーケンスの一態様のメッセージシーケンス図。
【図７】ユーザデバイス上での電子コンテンツの一部分へのアクセスを管理するための方法の一態様の概略を示すフローチャート。
【発明を実施するための形態】
【００２８】
次に、図面を参照しながら様々な態様について説明する。以下の記述では、説明の目的で、１つまたは複数の態様の完全な理解を与えるために多数の具体的な詳細を記載する。ただし、様々な態様は、これらの具体的な詳細なしに実施できることは明白であろう。他の例では、これらのバージョンを簡潔に説明するために、よく知られている構造およびデバイスをブロック図の形態で示す。
【００２９】
「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。
【００３０】
図１を参照すると、システム１００の一態様は、複数のユーザデバイス上での電子コンテンツの一部分へのアクセスを管理すること、またはそれを使用することを可能にする。システム１００は、コンテンツサーバ、マーカサーバ、または両方を含むことができるサーバ１０６と通信可能である、第１のデバイス１０２と第２のデバイス１０４とを備える。システム１００は、第１のデバイス１０２によるコンテンツ１２２の少なくとも一部分の消費(consumption)、およびマーカ情報１２４とデータキー情報１２６とを使用してその消費の状態をマーキングすることを可能にし、それによりコンテンツ１２２の状態を取り出し、第２のデバイス１０４上で消費を再開することができる。たとえば、いくつかの態様では、第１のデバイス１０２は、マーカ要求１１３をサーバ１０６に送信するように動作可能であり、マーカ要求１１３はマーカ情報１２４とデータキー情報１２６とを含む。マーカ情報１２４は第１のデバイス上でのコンテンツの保存状態を表し、データキー情報１２６は、コンテンツに対応するコンテンツ識別子とユーザ識別子とを含む。その後、第２のデバイス１０４は、コンテンツ１２２へのアクセスを再開するためにコンテンツ再開要求１１５をサーバ１０６に送信するように動作可能である。たとえば、いくつかの態様では、コンテンツ再開要求１１５は、要求コンテンツ識別子とリクエスタ識別子とを含む。サーバ１０６は、コンテンツ再開要求１１５の要求コンテンツ識別子およびリクエスタ識別子と、それぞれ、マーカ要求１１３のコンテンツ識別子およびユーザ識別子との間に一致が存在するかどうかを判断するように動作可能である。サーバ１０６が、一致が存在すると判断した場合、サーバ１０６は、第２のデバイス１０４が、マーカ要求１１３に基づいて第１のデバイス１０２によって保存されたものと同じ状態のコンテンツ１２２にアクセスすることを可能にするために、適切な状態のコンテンツ１２２またはマーカ情報１２４のいずれかの送信を開始するように動作可能である。したがって、システム１００は、同じデバイスまたは異なるデバイスでの後続の取出しのためにコンテンツ消費の終了状態をマーキングする。
【００３１】
第１のデバイス１０２および第２のデバイス１０４は、それぞれ、任意のインターフェース１０８および１０９を使用して通信することができる任意のデバイスとすることができる。たとえば、インターフェース１０８および１０９は、セルラー、赤外線、およびブルートゥースなどのワイヤレスインターフェース、またはシリアルケーブル接続などの有線インターフェース、あるいは両方を含む。たとえば、デバイス１０２および１０４は、携帯電話またはセルラー電話などスマートハンドヘルドデバイス、携帯情報端末（ＰＤＡ）、ページャ、携帯ゲーム機、あるいは他のミニコンピューターとすることができる。さらに、デバイス１０２および１０４は、スマート端末、ラップトップパーソナルコンピュータ、およびデスクトップパーソナルコンピュータとすることができる。これらの例は限定するものではなく、むしろ、少なくとも、読取り可能なスクリーンなどの出力機構、プロセッサ、メモリ、およびキーボード、ポインティングデバイスおよび／または口頭コマンドケイパビリティなどユーザインターフェースを有するデバイスの一般的な例である。第２のデバイス１４２を第１のデバイス１０２と同じデバイスのうちのいずれかとするか、または第１のデバイス１０２と第２のデバイス１４２とを異なるデバイスとすることもできる。
【００３２】
さらに、各デバイス１０２および１０４は、それぞれのデバイスケイパビリティ１０３および１０５を有する。デバイスケイパビリティ１０３および１０５は、ハードウェアケイパビリティ、ソフトウェアケイパビリティ、または両方の任意の組合せを含むことができる。たとえば、ハードウェアケイパビリティまたはソフトウェアケイパビリティは、それぞれのデバイス上のハードウェアまたはソフトウェア構成要素、それぞれの構成要素のバージョン、および１つまたは複数の構成要素特性を含むことができるが、これらに限定されない。構成要素特性は、ディスプレイの画面サイズ、メモリのメモリサイズ、スピーカのオーディオシンセサイザケイパビリティ、プロセッサの速度など、それぞれの構成要素のパフォーマンスパラメータを含むことができるが、これらに限定されない。第１のデバイス１０２のデバイスケイパビリティ１０３は、第２のデバイス１０４のデバイスケイパビリティ１０５と同じか、または異なるものとすることができる。
【００３３】
サーバ１０６は、インターフェース１１０を介して、ネットワーク１１２を通して第１のデバイス１０２および第２のデバイス１０４と通信することができる。ネットワーク１１２は、第１のデバイス１０２、第２のデバイス１０４、およびサーバ１０６との間の通信のために使用可能な任意のネットワークとすることができ、限定はしないが、地上波テレフォニー、セルラー電話通信、衛星電話通信、およびインターネットなどのパケットデータベースのネットワークなど電気通信ネットワークを含む。インターフェース１１０は、インターフェース１０８および１０９に関して上記したように、有線またはワイヤレスとすることができる。
【００３４】
単一のサーバとして示されているが、サーバ１０６は、本明細書で説明する機能を実行するように動作可能な複数のサーバを含むことができる。たとえば、いくつかの態様では、サーバ１０６は、ソフトウェアアプリケーション、ゲーム、音楽ファイル、ビデオファイル、呼出音など、コンテンツ１２２を配信するように動作可能なコンテンツサーバを含むことができる。さらに、たとえば、サーバ１０６は、第１のデバイス１０２および第２のデバイス１０４の一方または両方に対するコンテンツ１２２の状態に関する、マーカ情報１２４とデータキー情報１２６との両方を記憶するように動作可能なマーカサーバを含むことができる。したがって、サーバ１０６をコンテンツ／マーカサーバ１０６と呼ぶことができる。
【００３５】
コンテンツ／マーカサーバ１０６は、プロセッサ１１６とメモリ１１８と通信インターフェース１２０とを通信可能に接続するバス１１４を含むことができる。いくつかの態様では、メモリ１１８は、電子コンテンツ１２２と、マーカ情報１２４と、データキー情報１２６と、サーバ／マーカプログラム１２８とを記憶する。サービングプログラム１２８は、コンテンツ１２２を第１のデバイス１０２および第２のデバイス１０４の一方または両方にサービスするために、ならびにマーカ情報１２４とデータキー情報１２６とによってコンテンツ１２２の状態を管理するためにプロセッサによって実行可能である。
【００３６】
プロセッサ１１６は、プログラムされた汎用コンピュータ、専用コンピュータ、プログラムされたマイクロプロセッサまたはマイクロコントローラ、周辺集積回路素子、プログラマブル論理デバイスなどに実装される。一般に、プロセッサを実装するために、図７に示すステップを実装することが可能な任意のデバイスを使用することができる。
【００３７】
メモリ１１８は、ハードディスクドライブ、スタティックＲＡＭ、ダイナミックＲＡＭ、ＲＯＭ、フラッシュメモリ、ＣＤ−ＲＯＭドライブ、フロッピー（登録商標）ディスクドライブなどの１つまたは複数を使用して実装される。
【００３８】
通信インターフェース１２０は、コンテンツ／マーカサーバ１０６が、ネットワーク１１２にわたって、第１のデバイス１０２および第２のデバイス１０４など、他のデバイスと通信することを可能にするように動作可能なハードウェアおよびソフトウェアを含むことができる。さらに、通信インターフェース１２０は、コンテンツ／マーカサーバ１０６上の構成要素間の通信を可能にする。さらに、たとえば、通信インターフェース１２０は、１つまたは複数の入力機構、および１つまたは複数の出力機構を有するユーザインターフェースを含む。たとえば、入力機構は、キーボード、マウス、マイクロホン、音声認識プログラムなどを含むことができ、出力機構はスピーカ、ディスプレイ、触覚フィードバックデバイスなどを含む。
【００３９】
一態様では、システム１００は、ユーザが電子コンテンツ１２２を第１のデバイス１０２上に取り出し、そのコンテンツを利用し、マーカ情報１２４をコンテンツ／マーカサーバ１０６に記憶できるように働く。たとえば、いくつかの態様では、電子コンテンツ１２２は、電子書籍または電子ブック、雑誌またはデジタルマガジン、あるいは新聞などの他のユーザ可読コンテンツとすることができる。他の態様では、電子コンテンツ１２２は、ゲームまたは他のタイプのソフトウェアプログラムとすることができる。さらに、たとえば、いくつかの態様では、マーカ情報１２４は、ユーザが記憶することを望む電子コンテンツ１２２内の電子ブックマークまたはロケーションの他のインジケータとすることができる。たとえば、マーカ情報１２４は、読者に、どこで紙ベースの書籍、雑誌または他の文献のリーディングを止めたか思い出させるためにしばしば使用される物理ブックマークの均等物とすることができる。他の態様では、マーカ情報１２４は、電子コンテンツ１２２の最後の状態のインジケータを含む。
【００４０】
マーカ情報１２４に加えて、電子コンテンツ１２２を取り出しおよび／または記憶するために、第１のデバイス１０２および／または第２のデバイス１０４によってデータキー情報１２６が利用される。たとえば、データキー情報１２６は、電子コンテンツ１２２を識別する情報、それぞれのコンテンツへのアクセスを許可する情報、電子コンテンツ１２２のフォーマットを識別する情報、電子コンテンツ１２２を消費する際に使用するための必要とされる、または提案されるデバイスケイパビリティまたは構成を識別する情報、コンテンツの再フォーマッティングを可能にするために電子コンテンツを使用する識別されたデバイスのデバイスケイパビリティを識別する情報などの１つまたは任意の組合せを含むことができるが、これらに限定されない。
【００４１】
別の時間に、第２のデバイス１０４から電子コンテンツ１２２にアクセスするユーザは、ユーザがリーディングを止めたロケーションなど、ユーザによって前に識別された電子コンテンツ１２２内のロケーションを識別するマーカ情報１２４とともに電子コンテンツ１２２を取り出すことが可能である。さらに、第２のデバイス１０４は、それぞれの電子コンテンツ１２２へのアクセスを許可するために、または、たとえば、第２のデバイスケイパビリティ１０５に適合する適切なフォーマットで電子コンテンツ１２２を第２のデバイス１０４に取り出すことを可能にするために、データキー情報１２６を供給または識別することができる。電子コンテンツ１２２を利用した後、マーキングされた使用ポイント、または電子コンテンツ１２２の最後の状態での電子コンテンツ１２２の将来の取出しを可能にするために、第２のデバイス１０４は、更新されたマーカ情報１２４、およびいくつかの態様では更新されたデータキー情報１２６をコンテンツ／マーカサーバ１０６に送信することができる。
【００４２】
したがって、いくつかの態様では、システム１００は、電子コンテンツ１２２のマーキングされた消費ポイントを記憶することを可能にする。他の態様では、システム１００は、電子コンテンツ１２２の状態を保存することを可能にする。さらに他の態様では、システム１００は、別のデバイスによってマーキングされた消費ポイントまたは状態に基づく、あるデバイスにおける電子コンテンツ１２２の取出しを可能にする。さらに、システム１００は、別のデバイスによってマーキングされた消費ポイントまたは状態に基づく、あるデバイスにおける電子コンテンツ１２２の取出しを可能にし、取り出される電子コンテンツ１２２は取り出しているデバイスのデバイスケイパビリティに従って変更される。
【００４３】
図２を参照すると、いくつかの態様では、コンテンツ／マーカサーバ１０６は、コンテンツ／マーカモジュール１３０をさらに含むことができる。いくつかの態様では、コンテンツ／マーカモジュール１３０は、本明細書で説明するコンテンツサーバ機能などに関して、電子コンテンツ１２２の配信を可能にする。他の態様では、コンテンツ／マーカモジュール１３０は、本明細書で説明するマーカサーバ機能などに関して、電子コンテンツ１２２の最後の消費ポイントまたは状態のマーキングを可能にする。コンテンツ／マーカモジュール１３０は、上記のサーバ／マーカプログラム１２８、および随意にデータベース１３２を含む、またはそれらに関連付けることができる。データベース１３２は、電子コンテンツ１２２またはそれへの参照、マーカ情報１２４、データキー情報１２６、およびシステム１００（図１）中の１つまたは複数のデバイスのデバイス識別情報１３４、ならびに対応するデバイスケイパビリティ１０３、１０５などを記憶するように動作可能である。コンテンツ／マーカモジュール１３０は、本明細書で説明するマーキング機能を提供する、コンテンツを管理するように動作可能なハードウェア、ソフトウェア、ファームウェア、コンピュータ可読命令などの１つまたは任意の組合せを含むことができる。
【００４４】
さらに、（簡単のために、第１の通信デバイス１０２を参照する）図３を参照すると、第１の通信デバイス１０２および／または第２の通信デバイス１０４は、デバイスへの入力を生成または受信するように動作可能な入力デバイス１３７と、デバイスのユーザによる消費についての情報を生成および／または提示するように動作可能な出力デバイス１３９とを含むユーザインターフェース１３５を含むことができる。たとえば、少なくとも１つの、入力デバイス１３７は、キーパッドおよび／またはキーボード、マウス、タッチスクリーンディスプレイ、音声認識モジュールに関連したマイクロホンなどのデバイスを含むことができる。いくつかの態様では、入力デバイス１３７は、コンテンツの要求のユーザ入力、または、情報のマーキングのユーザ入力を可能にする。さらに、たとえば、出力デバイス１３９は、ディスプレイ、オーディオスピーカ、触覚フィードバック機構などを含むことができる。出力デバイス１３９は、グラフィカルユーザインターフェース、音、振動などの触感などを生成することができ、そのような出力は、たとえば、コンテンツ１２２の提示に関連付けられることができる。
【００４５】
さらに、通信デバイス１０２は、デバイスに機能を与えるアプリケーションを実行するように動作可能なコンピュータプラットフォーム１４１を含むことができ、それはユーザインターフェース１３５とさらに対話することができる。コンピュータプラットフォーム１４１は、読取り専用メモリおよび／またはランダムアクセスメモリ（ＲＡＭおよびＲＯＭ）、消去可能プログラマブル読出し専用メモリ（ＥＰＲＯＭ）、電気消去可能プログラマブル読出し専用メモリ（ＥＥＰＲＯＭ）、フラッシュメモリ、および／またはコンピュータプラットフォームに共通のメモリなど、揮発性および不揮発性メモリ部分を備えることができるメモリ１４３を含むことができる。さらに、メモリ１４３は、電子ファイルシステムならびに、磁気媒体、光媒体、テープ、ソフトディスクおよび／またはハードディスク、ならびにリムーバブルメモリ構成要素など、任意の二次記憶デバイスおよび／または三次記憶デバイスを含む、アクティブメモリおよびストレージメモリを含むことがきる。
【００４６】
さらに、コンピュータプラットフォーム１４１はまた、特定用途向け集積回路（ＡＳＩＣ）、または他のチップセット、プロセッサ、論理回路、または他のデータ処理デバイスとすることができるプロセッサ１４５をも含む。いくつかの任意の態様では、破線で示すように、第１の通信デバイス１０２がセルラー電話を備えるときなど、プロセッサ１４５、またはＡＳＩＣなどの他の論理は、メモリ１４３中のボイス呼、データ呼、およびメディア関連アプリケーションなど任意の常駐ソフトウェア構成要素と接続するアプリケーションプログラミングインターフェース（ＡＰＩ）層１４７を実行することができる。ＡＰＩ１４７は、それぞれの通信デバイス上で実行するランタイム環境とすることができる。そのようなランタイム環境の１つは、カリフォルニア州サンディエゴのＱｕａｌｃｏｍｍ社によって開発された無線のためのバイナリランタイム環境（Binary Runtime Environment for Wireless）(登録商標）（ＢＲＥＷ（登録商標））ソフトウェアである。たとえば、ワイヤレスコンピューティングデバイス上でアプリケーションの実行を制御するように動作する他のランタイム環境を利用することができる。
【００４７】
さらに、プロセッサ１４５は、第１の通信デバイス１０２の機能、および通信ネットワーク１１２（図１）上での通信デバイスの動作を可能にする、ハードウェア、ファームウェア、ソフトウェア、およびそれらの組合せで実施される様々な処理サブシステム１４９を含むことができる。たとえば、処理サブシステム１４９は、他のネットワークデバイスとの、ならびに第１の通信デバイス１０２の構成要素内および／または構成要素間での通信の開始および維持、ならびにデータの交換を可能にする。セルラー電話の場合など、一態様では、プロセッサ１４５は、音、不揮発性メモリ、ファイルシステム、送信、受信、サーチャ、レイヤ１、レイヤ２、レイヤ３、主制御、遠隔手続き、ハンドセット、電源管理、診断、デジタル信号プロセッサ、ボコーダ、メッセージング、呼マネージャ、ブルートゥースシステム、ブルートゥースＬＰＯＳ、位置判断、位置エンジン、ユーザインターフェース、スリープ、データサービス、セキュリティ、認証、ＵＳＩＭ／ＳＩＭ（汎用加入者識別モジュール／加入者識別モジュール）、音声サービス、グラフィックス、ＵＳＢ（ユニバーサルシリアルバス）、MPEG(Moving Picture Experts Group)プロトコルマルチメディアなどのマルチメディア、GPRS(General Packet Radio Service)、ショートメッセージサービス（ＳＭＳ）、ショートボイスサービス（ＳＶＳ（商標））、ウェブブラウザなど、処理サブシステム１４９の１つまたは組合せを含むことができる。開示する態様では、プロセッサ１４５の処理サブシステム１４９は、コンピュータプラットフォーム１４１上で実行するアプリケーションと対話するサブシステム構成要素を含むことができる。
【００４８】
コンピュータプラットフォーム１４１は、第１の通信デバイス１０２の様々な構成要素間の通信を可能にし、ならびにコンテンツ１２２を取り出し、通信ネットワーク１１２（図１）を介して第１の通信デバイス１０２とコンテンツ／マーカサーバ１０６（図１）との間でコンテンツ要求およびマーキング要求を送信するように動作可能である通信モジュール１５１をさらに含むことができる。通信モジュール１５１は、ハードウェア、ファームウェア、ソフトウェア、および／またはそれらの組合せにおいて実施でき、デバイス内およびデバイス間の通信において使用するためのすべてのプロトコルをさらに含むことができる。さらに、通信モジュール１５１は、本明細書で説明する装置および方法に従って、電子コンテンツ１２２、マーカ情報１２４、およびデータキー情報１２６などの情報を送信および／または受信するように動作可能である。
【００４９】
さらに、いくつかの態様では、メモリ１４３（図３）はコンテンツ１２２をさらに記憶することができる。コンテンツ１２２は、テキスト、ビデオ、グラフィックス、またはアニメーション、および一般に、第１の通信デバイス１０２のユーザによって記憶および対話できるデータを備えることができる。
【００５０】
さらに、いくつかの態様では、メモリ１４３は、メモリ１４３に記憶されたコンテンツ１２２の終了ポイントまたは状態を取り出し、提示し、マーキングするように動作可能な提示マネージャモジュール１５３をさらに記憶することができる。提示マネージャモジュール１５３は、これらの機能を実行するように動作可能なハードウェア、ソフトウェア、ファームウェア、データ、および実行可能命令の１つまたは任意の組合せを備えることができる。たとえば、いくつかの態様では、提示マネージャモジュール１５３は、それぞれのデバイスのユーザに、グラフィックメニュー、音、コンテンツ１２２など出力を提示するために、およびコンテンツ取出し要求、スクロール、ページをめくるなどのコンテンツ内移動要求、コンテンツマーキング要求、マーカ／状態情報保存要求、および全般的に本明細書で説明するコンテンツ取出しおよびマーキング機能などの入力をユーザに入力するように促すために、ユーザインターフェース１３５と提示マネージャモジュール１５３との間でインターフェースするように動作可能なユーザインターフェース論理１５５を備えることができる。したがって、提示マネージャモジュール１５３は、コンテンツ／マーカサーバ１０６から電子コンテンツ１２２を取り出す際に使用するためのデータキー情報１２６をさらに含む、またはその情報にアクセスすることができる。随意に、提示マネージャモジュール１５３は、それぞれのデバイスケイパビリティ１０３に基づいて適切なフォーマットでコンテンツ１２２を取り出すために、またはユーザインターフェース１３５に提示するためのコンテンツ１２２をコンテンツ／マーカサーバ１０６からの取出しの後に再フォーマッティングするために、デバイスケイパビリティ１０３をさらに含む、またはそのケイパビリティにアクセスすることができる。さらに、提示マネージャモジュール１５３は、デバイス情報１３４に対して、および／またはデバイスケイパビリティ１０３に基づいて、コンテンツ１２２の最後の使用の使用ポイントまたは状態をマーキングしたいというマーカ要求を送信するようにさらに動作可能である。
【００５１】
さらに、いくつかの態様では、第１の通信デバイス１０２のメモリ１４１は、マーカ情報１２４を生成する際に提示マネージャモジュール１５３が使用するための、コンテンツ１２２の提示の現在の状態１５９を継続的に記憶するように動作可能な監視モジュール１５７をさらに備えることができる。監視モジュール１５７は、これらの機能を実行するように動作可能なハードウェア、ソフトウェア、ファームウェア、データ、および実行可能命令の１つまたは任意の組合せを備えることができる。たとえば、いくつかの態様では、監視モジュール１５７は、コンテンツ１２２に対する第１の通信デバイス１０２のアクションを記憶するように動作可能な監視論理１６１を備え、それによって、コンテンツ１２２の現在の状態１５９を第１のデバイス１０２上に表すことができる。通信デバイス１０２のアクションは、コンテンツ１２２の状態または使用ポイントを追跡するデータを含む。
【００５２】
図４は、ユーザデバイス上での電子コンテンツの一部分へのアクセスまたは使用を管理するためのシステムの別の態様を示す。この図において、同様の番号は前述した同様の構成要素を指す。システム３００は、コンテンツ／マーカサーバ１０６（図１）の機能が、そこからコンテンツ１２２がダウンロードされるコンテンツサーバ３０１と、それぞれのデバイス上でのコンテンツ１２２の最後の使用ポイントまたは状態のマーキングを管理するように動作可能なマーカサーバ３０３との間で分離され、別のデバイスによるマーキング情報の取出しを可能にすることを除いて、図１と同様である。たとえば、マーカサーバ３０３は、前述した、コンテンツ／マーカモジュール１０３（図２）のマーカ関連の態様を含むことができる。システム３００は、インターフェース１０８および１１０を介してコンテンツサーバ３０１と、および（１１０と同じまたは同様のインターフェースである）インターフェース１０８および１１１を介してマーカサーバ３０３と、両方ともネットワーク１１２を通して通信可能である第１のデバイス１０２を備える。図示のように、インターフェース１０８および１０９と同じまたは同様である、インターフェース３０４を使用して通信することができる任意の番号Ｎのデバイス３０２を使用することができる。
【００５３】
図３では、コンテンツサーバ１０４は、電子ブックコンテンツを含む電子ブックサーバなど、任意のタイプのコンテンツ１２２を配信するサーバとすることができる。動作中、第１のデバイス１０２を使用するユーザは、たとえば、第１のデバイス１０２上に常駐するデータキー情報１２６および／またはデバイスケイパビリティ情報１０３を使用して、コンテンツサーバ３０１からコンテンツ１２２を取り出し、コンテンツ１２２の一部分をリーディングし、コンテンツ１２２の状態のマーキングされたポイントにおけるコンテンツ１２２の将来の開始を可能にするために、マーカ情報１２４と対応するデータキー情報１２６とをマーカサーバ３０３に送信する。その後、第１のデバイス１０２、第２のデバイス１０４、または第Ｎのデバイス３０２のうちのいずれか１つを使用するユーザは、マーキングされたポイントまたは状態でコンテンツ１２２の消費を再び開始するために、マーカサーバ３０３に記憶されたマーカ情報１２４と、対応するデータキー情報１２６とを取り出す。いくつかの態様では、マーカサーバ３０３は、コンテンツ１２２がそれぞれのデバイスで使用するようにフォーマッティングされることを可能にするために、それぞれのデバイスに対応するデバイスケイパビリティ情報１０３または１０５を利用することができる。たとえば、いくつかの態様では、マーカサーバ３０３は、コンテンツ１２２の最初の要求、または後続の要求時にコンテンツサーバ３０１と通信して、コンテンツサーバ３０１にデバイスケイパビリティを与える。さらに、他の態様では、マーカサーバ３０１は、デバイスごとにコンテンツ１２２を収集および記憶し、次いで、１０３または１０５など、それぞれのデバイスケイパビリティに応じて適切なフォーマットでコンテンツ１２２をそれぞれのデバイス１０２、１０４または３０２に送信することができる。
【００５４】
図５および図６を参照すると、一態様では、システム３００の動作の方法は、ユーザ１０１と、第１のデバイス１０２と、第２のデバイス１０４と、電子ブックサーバなどコンテンツサーバ３０１と、マーカサーバ３０３との間の一連の通信を含む。メッセージシーケンスは、ユーザが、第１のマーキングされたポイントまでコンテンツを利用し、マーキングされたポイントを保存し、その後、保存されたマーキングされたポイントに基づいてコンテンツへのアクセスを開始することを含む。例として、ユーザが電子ブックなどテキストベースのコンテンツをリーディングし、コンテンツ内のあるロケーションでユーザがリーディングを止めたとき、ユーザは最後のリーディングロケーションをマーキングされたロケーションとして保存する。ユーザがリーディングを再開することを望むとき、ユーザは、保存されたマーカ情報に基づいて最後のリーディングロケーションにおいて電子ブックへのアクセスを開始する。たとえば、最後のリーディングロケーションが章の最後である場合、開始されるアクセスは次の章の始めとすることができる。
【００５５】
電子書籍または電子ブックを使用する非限定的な一例では、ユーザ１０１は、書籍アプリケーションが１のデバイス１０２にダウンロードされることを要求する、第１のデバイス１０２によってコンテンツサーバ３０１に送信されるメッセージ４００を生成するコンテンツ要求３９９を、第１のデバイス１０２に入力する。サーバ３０１は、メッセージ４００を受信および処理し、メッセージ４０２を通して、第１のデバイス１０２に書籍アプリケーションを送信する。ユーザ１０１は、電子ブック内のロケーションをブックマークすることを望むとき、第１のデバイス１０２のユーザインターフェースを通して、電子ブックロケーションをマーキングしたいというメッセージ４０４を入力する。次いで、第１のデバイス１０２は、電子ブック内のポイントをマーキングしたいというメッセージ４０６をマーカサーバ３０３に送信する。メッセージ４０６はまた、電子ブックを識別する情報、ならびにユーザに情報へのアクセスを許可するデータキー情報を含むことができる。さらに、データキー情報は、電子ブックのフォーマットに関する情報を含むことができ、すなわち、フォーマットはユーザデバイスのタイプに応じて変化し、ユーザが異なるフォーマッティングを必要とする異なるデバイス上で電子ブックにアクセスすることを可能にする。
【００５６】
次いで、いくつかの任意の態様では、マーカサーバ３０３は、データキー情報および／またはマーカ情報を含むメッセージ４０８をコンテンツサーバ３０１に送信する。いくつかの態様では、たとえば、データキー情報はマーカサーバ３０３中のどこでマーカ情報が見つかるかについて識別する情報、または、たとえば、マーキングされたポイント、コンテンツの状態、第１のデバイスのタイプ、第１のデバイスのデバイスケイパビリティなどマーカポイントに関する他の情報を含む。コンテンツサーバ３０１は、メッセージ４０８を受信し、情報を記憶する。
【００５７】
図６を参照すると、その後、第２のデバイス１０４において電子ブックをリーディングし続けることを望むユーザ１０１は、第２のデバイス１０４のユーザインターフェースを介して、リーディングを再開したいというメッセージ４１０を入力する。第２のデバイス１０４は、ユーザメッセージ４１０を受信し、電子ブックのリーディングを再開したいというメッセージ４１２をコンテンツサーバ３０４１に送信する。コンテンツサーバ３０１は、電子ブックのリーディングを再開したいというメッセージ４１２を受信し、常駐データキーおよびマーカ情報を利用するか、またはマーカサーバ３０３に記憶され得るデータキーおよびマーカ情報を取り出す。
【００５８】
たとえば、コンテンツサーバ３０１は、データキー情報を使用してマーカ情報および他の関連する情報を取り出したいというメッセージ４１４をマーカサーバ３０３に送信する。マーカサーバ３０３は、メッセージ４１４を受信し、マーカ情報および他の関連する情報を取り出し、メッセージ４１６においてこの情報をコンテンツサーバ３０１に送信する。
【００５９】
コンテンツサーバ３０１は、メッセージ４１６を受信し、マーカ情報を処理する。次いで、コンテンツサーバ３０１は、たとえばコンテンツ１２２を含む、および／または電子ブックのリーディングをどこから再開すべきかに関する情報を含むメッセージ４１８を第２のデバイス１４２に送信する。メッセージ４１８がブックマークされたロケーションで始まる電子ブックの部分のみを含むことができることは理解される。たとえば、ブックマークがページ５３、パラグラフ３にある場合、メッセージ４１８はページ５３で始まる電子ブックをのみ含む。
【００６０】
図７を参照すると、一態様では、ユーザデバイス上での電子コンテンツの一部分へのアクセスまたはそれの使用を管理するための方法は、ステップＳ１０００で開始し、ステップＳ１０１０に進む。ステップＳ１０１０において、第１のデバイスとコンテンツを有するサーバとの間に通信リンクを確立し、ステップＳ１０２０に進む。ステップＳ１０２０において、サーバから新たなコンテンツが要求されるかどうかを判断する。新たなコンテンツが要求される場合、プロセスはステップＳ１０３０に進む。
【００６１】
ステップＳ１０３０において、コンテンツ要求メッセージが、処理のためのサーバにおいて受信される。次に、ステップＳ１０４０において、要求されたコンテンツはサーバからダウンロードされ、第１のデバイスに送信される。次に、ステップＳ１０５０において、ダウンロードされたコンテンツは、第１のデバイスにロードされ、ユーザがそのコンテンツを使用する。ステップＳ１０６０において、コンテンツのステータスをマーキングすべきかどうかを判断し、ブックマークなどのマーカ情報が定義されない可能性がある場合、プロセスはステップＳ１１００において終了する。コンテンツがマーキングされる可能性がある場合、プロセスはステップＳ１０７０に進む。ステップＳ１０７０において、ユーザによって使用されているデバイスは、マーカ関連情報とデータキー情報とを含むマーカメッセージをサーバに送信する。随意に、別個のマーカサーバおよびコンテンツサーバが利用される場合には、ステップＳ１０８０において、マーカサーバはマーカ関連情報およびデータキー情報の少なくとも１つをコンテンツサーバに送信する。次に、ステップＳ１０９０において、サーバがマーカ関連情報およびデータキー情報を記憶し、プロセスのこの部分はステップＳ１１００において終了する。
【００６２】
ステップＳ１０２０に戻ると、新たなコンテンツの要求がない場合、プロセスはステップＳ１１２０に進む。ステップＳ１１２０において、前に取得したコンテンツの消費を再開したいという要求があるかどうか判断する。コンテンツを再開したいという要求がない場合、プロセスはステップＳ１１００において終了する。コンテンツを再開したいという要求がある場合、プロセスはステップＳ１１３０に進む。このステップでは、コンテンツ再開の要求は、コンテンツを識別する情報、ならびにデバイスおよび／または要求元デバイスのデバイスデバイスケイパビリティを識別する情報を含む。
【００６３】
ステップＳ１１３０において、サーバは、識別されたコンテンツのための、および／または識別されたデバイスのためのマーカおよびデータキー情報を取り出す。随意に、別個のマーカサーバおよびコンテンツサーバが利用される場合には、ステップＳ１１４０において、マーカサーバはマーカ情報および／またはデータキー情報を取り出し、マーカ情報および／またはデータキー情報をコンテンツサーバに送信する。次に、ステップＳ１１５０において、サーバは、マーカ情報に基づいて、またはそれとともに要求されたコンテンツをユーザデバイスにダウンロードし、ステップＳ１０５０に進み、そのコンテンツを使用する。
【００６４】
このプロセスが、ユーザがコンテンツ中の場所をブックマークすることを可能にすることは、理解される。いくつかの態様では、コンテンツは第１のサーバに記憶され、ブックマークは第２のサーバに記憶され、第１のサーバは、第１のサーバが第２のサーバ上のブックマークにアクセスすることを可能にする情報を記憶する。さらに、このプロセスは、ユーザがマーカ情報に基づいて同じまたは別のユーザ端末からコンテンツを再開することを可能にすることは、理解される。
【００６５】
また、一態様では、コンテンツが電子書籍であることは、理解される。
【００６６】
また、別の態様では、コンテンツがゲームであることは、理解される。この態様では、第１のユーザ端末からのユーザは、ゲームをプレイし、マーカサーバ上にゲームのステータスのブックマークを置くことができる。別の時間に、ユーザまたは別のユーザは、同じユーザデバイスまたは別のユーザデバイスを使用して、同じゲームおよびブックマークにアクセスすることができる。このようにして、ユーザまたは別のユーザは、同じまたは異なるユーザデバイスを使用して、ブックマークされたプレイポイントにおいて、およびさらにそれぞれのデバイスのデバイスケイパビリティに基づいて、ゲームを再開することができる。
【００６７】
本明細書で開示した実施形態に関して説明した様々な例示的な論理、論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、またはその他のプログラマブル論理デバイス、個別ゲートまたはトランジスタロジック、個別ハードウェア構成要素、あるいは本明細書で説明した機能を実行するように設計されたそれらの任意の組合せを用いて実装または実行できる。汎用プロセッサはマイクロプロセッサとすることができるが、代替として、プロセッサは従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。さらに、少なくとも１つのプロセッサは、上述のステップおよび／またはアクションの１つまたは複数を実行するように動作可能な１つまたは複数のモジュールを備えることができる。
【００６８】
さらに、本明細書で開示された態様に関して説明した方法またはアルゴリズムのステップおよび／またはアクションは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術分野で知られている任意の他の形態の記憶媒体中に常駐することができる。例示的な記憶媒体は、プロセッサが記憶媒体から情報を読み取り、記憶媒体に情報を書き込むことができるようにプロセッサに結合される。代替として、記憶媒体はプロセッサに一体化することができる。さらに、いくつかの態様では、プロセッサおよび記憶媒体はＡＳＩＣ中に常駐することができる。さらに、ＡＳＩＣはユーザ端末中に常駐することができる。代替として、プロセッサおよび記憶媒体は、ユーザ端末内に個別構成要素として常駐することもできる。さらに、いくつかの態様では、方法またはアルゴリズムのステップおよび／またはアクションは、コンピュータプログラム製品に組み込むことができる、機械可読媒体および／またはコンピュータ可読媒体上のコードおよび／または命令の１つまたは任意の組合せ、あるいはそのセットとして常駐することができる。
【００６９】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
【図１】
2014209355.tif 000003
【図２】
2014209355.tif 000004
【図３】
2014209355.tif 000005
【図４】
2014209355.tif 000006
【図５】
2014209355.tif 000007
【図６】
2014209355.tif 000008
【図７】
2014209355.tif 000009
【手続補正書】
【提出日】平成26年7月4日(2014.7.4)
【手続補正１】
【補正対象書類名】特許請求の範囲
【補正対象項目名】全文
【補正方法】変更
【補正の内容】
【特許請求の範囲】
【請求項１】
第１の通信デバイスによって開始されるマーカ要求をサーバシステムが受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記サーバシステムが前記マーカ要求を保存することと、
前記サーバシステムが要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ再開要求に対応する、
一致が判断された場合、前記サーバシステムがコンテンツサーバへのまたは前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、
前記サーバシステムが、前記第２の通信デバイスに前記コンテンツをダウンロードすることと、
を備える、電子コンテンツへのアクセスを管理する方法。
【請求項２】
前記第２の通信デバイスに対応する第２のデバイスケイパビリティ情報を前記サーバシステムが受信することと、
前記サーバシステムが前記コンテンツサーバにまたは前記第２の通信デバイスにコンテンツフォーマッティング情報を送信することと、ここで、前記コンテンツフォーマッティング情報は、前記第２の通信デバイス上での前記コンテンツの提示に影響を及ぼす前記第２のデバイスケイパビリティ情報の少なくとも一部分に基づき、前記コンテンツフォーマッティング情報は、前記第２の通信デバイス上での提示のために前記コンテンツを再フォーマッティングするように前記コンテンツサーバ上でまたは前記第２の通信デバイス上で動作可能である、
をさらに備える、請求項１の方法。
【請求項３】
前記第２の通信デバイスに対応する第２のデバイスケイパビリティ情報を前記サーバシステムが受信することと、
前記第２の通信デバイス上での提示のために前記コンテンツを前記サーバシステムが再フォーマッティングすることと、ここで、前記再フォーマッティングすることは、前記第２の通信デバイス上での前記コンテンツの前記提示に影響を及ぼす前記第２のデバイスケイパビリティ情報の少なくとも一部分に基づく、
前記サーバシステムが前記第２の通信デバイスに前記再フォーマッティングされたコンテンツを送信することと、
をさらに備える、請求項１の方法。
【請求項４】
前記第１の通信デバイスに対応する第１のデバイスケイパビリティ情報と、前記第２の通信デバイス、に対応する第２のデバイスケイパビリティ情報とを前記サーバシステムが受信することと
前記サーバシステムが前記第１のデバイスケイパビリティ情報と前記第２のデバイスケイパビリティ情報との間の差に基づいて前記マーカ情報を調整することと、ここで、前記差が、前記第２の通信デバイス上での前記コンテンツの提示に影響を及ぼす前記第２のデバイスケイパビリティ情報の少なくとも一部分に対応する、
をさらに備え、
前記マーカ情報の前記送信を開始することは、前記サーバシステムが前記コンテンツサーバへのまたは前記第２の通信デバイスへの前記調整されたマーカ情報の送信を開始することをさらに備える、
請求項１の方法。
【請求項５】
前記マーカ情報を受信することは、前記サーバシステムがゲームステータスまたは電子的に読取り可能な文書中のロケーションのうちの少なくとも１つを受信することをさらに備える、請求項１の方法。
【請求項６】
第１の通信デバイスによって開始されるマーカ要求を受信することをコンピュータに行わせるための少なくとも１つの命令と、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記マーカ要求を保存することを前記コンピュータに行わせるための少なくとも１つの命令と、
要求コンテンツ識別子およびリクエスタ識別子と、それぞれ、前記コンテンツ識別子および前記ユーザ識別子との間の一致を判断することを前記コンピュータに行わせるための少なくとも１つの命令と、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始することを前記コンピュータに行わせるための少なくとも１つの命令と、ここで、前記マーカ情報は、前記第１の通信デバイス上での前記コンテンツの保存状態で、前記第２の通信デバイス上で前記コンテンツへのアクセスを開始するように動作可能である、
前記第２の通信デバイスに前記コンテンツをダウンロードすることを前記コンピュータに行わせるための少なくとも１つの命令と、
を備える、電子コンテンツへのアクセスを管理するためのコンピュータ可読記録媒体。
【請求項７】
第１の通信デバイスによって開始されるマーカ要求を受信するための第１のモジュールと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記マーカ要求を保存するための第２のモジュールと、
要求コンテンツ識別子およびリクエスタ識別子と、それぞれ、前記コンテンツ識別子および前記ユーザ識別子との間の一致を判断するための第３のモジュールと、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始するための第４のモジュールと、ここで、前記マーカ情報は、前記第１の通信デバイス上での前記コンテンツの保存状態で、前記第２の通信デバイス上で前記コンテンツへのアクセスを開始するように動作可能である、
前記第２の通信デバイスに前記コンテンツをダウンロードするための第５のモジュールと、
を備える、電子コンテンツへのアクセスを管理するように構成された少なくとも１つのプロセッサ。
【請求項８】
第１の通信デバイスによって開始されるマーカ要求を受信するための手段と、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記マーカ要求を保存するための手段と、
要求コンテンツ識別子およびリクエスタ識別子と、それぞれ、前記コンテンツ識別子および前記ユーザ識別子との間の一致を判断するための手段と、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始するための手段と、ここで、前記マーカ情報は、前記第１の通信デバイス上での前記コンテンツの保存状態で、前記第２の通信デバイス上で前記コンテンツへのアクセスを開始するように動作可能である、
前記第２の通信デバイスに前記コンテンツをダウンロードするための手段と、
を備える、電子コンテンツへのアクセスを管理するための装置。
【請求項９】
第１の通信デバイスによって開始されるマーカ要求を受信するように動作可能な通信モジュールと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記通信モジュールは、第２の通信デバイスによって送信されるコンテンツ再開要求を受信するようにさらに動作可能であり、前記コンテンツ再開要求は、要求コンテンツ識別子と、リクエスタ識別子とを備え、前記コンテンツは、前記第１の通信デバイスにダウンロードされる、
前記マーカ要求を保存するように動作可能なメモリと、
前記要求コンテンツ識別子および前記リクエスタ識別子と、それぞれ、前記コンテンツ識別子および前記ユーザ識別子との間の一致を判断するように動作可能な、マーカプログラムを備えるマーカモジュールと、
を備え、
前記マーカモジュールは、一致が判断された場合、サーバシステムからコンテンツサーバへのまたは前記第２の通信デバイスへの前記マーカ情報の送信を開始するようにさらに動作可能であり、前記マーカ情報は、前記第１の通信デバイス上での前記コンテンツの保存状態で、前記第２の通信デバイス上で前記コンテンツへのアクセスを開始するように動作可能であり、
前記マーカモジュールは、前記第２の通信デバイスに前記コンテンツをダウンロードするようにさらに動作可能である、
電子コンテンツへのアクセスを管理するためのサーバシステム。
【請求項１０】
前記通信モジュールは、前記第２の通信デバイスに対応する第２のデバイスケイパビリティ情報を受信するようにさらに動作可能であり、前記マーカモジュールは、前記コンテンツサーバにまたは前記第２の通信デバイスにコンテンツフォーマッティング情報を送信するようにさらに動作可能であり、前記コンテンツフォーマッティング情報は、前記第２の通信デバイス上での前記コンテンツの提示に影響を及ぼす前記第２のデバイスケイパビリティ情報の少なくとも一部分に基づき、前記コンテンツフォーマッティング情報は、前記第２の通信デバイス上での提示のために前記コンテンツを再フォーマッティングするように前記コンテンツサーバ上でまたは前記第２の通信デバイス上で動作可能である、請求項９のサーバシステム。
【請求項１１】
前記通信モジュールは、前記第２の通信デバイスに対応する第２のデバイスケイパビリティ情報を受信するようにさらに動作可能であり、前記マーカモジュールは、前記第２の通信デバイス上での提示のために前記コンテンツを前記サーバシステムにおいて再フォーマッティングするようにさらに動作可能であり、前記再フォーマッティングすることは、前記第２の通信デバイス上での前記コンテンツの前記提示に影響を及ぼす前記第２のデバイスケイパビリティ情報の少なくとも一部分に基づき、前記通信モジュールは、前記第２の通信デバイスに前記再フォーマッティングされたコンテンツを送信するようにさらに動作可能である、請求項９のサーバシステム。
【請求項１２】
前記通信モジュールは、前記第１の通信デバイスに対応する第１のデバイスケイパビリティ情報と、前記第２の通信デバイスに対応する第２のデバイスケイパビリティ情報とを受信するようにさらに動作可能であり、前記マーカモジュールは、前記第１のデバイスケイパビリティ情報と前記第２のデバイスケイパビリティ情報との間の差に基づいて前記マーカ情報を調整するようにさらに動作可能であり、前記差は、前記第２の通信デバイス上での前記コンテンツの提示に影響を及ぼす前記第２のデバイスケイパビリティ情報の少なくとも一部分に対応し、前記マーカ情報は、前記調整されたマーカ情報をさらに備える、請求項９のサーバシステム。
【請求項１３】
前記マーカ情報は、ゲームステータスまたは電子的に読取り可能な文書中のロケーションのうちの少なくとも１つをさらに備える、請求項９のサーバシステム。
【請求項１４】
第２の通信デバイスによって送信されるコンテンツ再開要求をコンテンツサーバが受信することと、ここで、前記コンテンツ再開要求は、要求コンテンツ識別子と、リクエスタ識別子とを備える、
前記コンテンツ再開要求に基づいて前記コンテンツサーバがマーカサーバに情報再開要求を送信することと、ここで、前記情報再開要求は、前記要求コンテンツ識別子と、前記リクエスタ識別子とを備える、
前記コンテンツサーバが前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信することと、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記コンテンツサーバが前記第２の通信デバイスに情報を送信することと、ここで、前記情報は、前記マーカ情報に基づいて前記第１の通信デバイス上での前記コンテンツの保存状態で、前記第２の通信デバイス上で前記コンテンツへのアクセスを開始するように動作可能である、
前記コンテンツサーバが、前記第２の通信デバイスに前記コンテンツをダウンロードすることと、
を備える、電子コンテンツを与える方法。
【請求項１５】
前記第２の通信デバイスに情報を送信することは、前記コンテンツサーバが前記保存状態で前記コンテンツを送信することをさらに備える、請求項１４の方法。
【請求項１６】
前記第２の通信デバイスに情報を送信することは、前記コンテンツサーバが前記マーカ情報を送信することをさらに備える、請求項１４の方法。
【請求項１７】
前記コンテンツサーバが前記第２の通信デバイスに対応する第２のデバイスケイパビリティ情報を受信することと、
前記コンテンツサーバが前記第２の通信デバイス上での提示のために前記コンテンツを再フォーマッティングすることと、ここで、前記再フォーマッティングすることは、前記第２の通信デバイス上での前記コンテンツの前記提示に影響を及ぼす前記第２のデバイスケイパビリティ情報の少なくとも一部分に基づく、
をさらに備え、
前記第２の通信デバイスに情報を送信することは、前記コンテンツサーバが前記第２の通信デバイスに前記再フォーマッティングされたコンテンツを送信することをさらに備える、
請求項１４の方法。
【請求項１８】
前記マーカ情報を受信することは、前記コンテンツサーバがゲームステータスまたは電子的に読取り可能な文書中のロケーションのうちの少なくとも１つを受信することをさらに備える、請求項１４の方法。
【請求項１９】
第２の通信デバイスによって送信されるコンテンツ再開要求を受信することをコンピュータに行わせるための少なくとも１つの命令と、ここで、前記コンテンツ再開要求は、要求コンテンツ識別子と、リクエスタ識別子とを備える、
前記コンテンツ再開要求に基づいてマーカサーバに情報再開要求を送信することを前記コンピュータに行わせるための少なくとも１つの命令と、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信することを前記コンピュータに行わせるための少なくとも１つの命令と、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記第２の通信デバイスに情報を送信することを前記コンピュータに行わせるための少なくとも１つの命令と、ここで、前記情報は、前記マーカ情報に基づいて前記第１の通信デバイス上での前記コンテンツの保存状態で、前記第２の通信デバイス上で前記コンテンツへのアクセスを開始するように動作可能である、
前記第２の通信デバイスに前記コンテンツをダウンロードすることを前記コンピュータに行わせるための少なくとも１つの命令と、
を備える、電子コンテンツを与えるためのコンピュータ可読記録媒体。
【請求項２０】
第２の通信デバイスによって送信されるコンテンツ再開要求を受信するための第１のモジュールと、ここで、前記コンテンツ再開要求は、要求コンテンツ識別子と、リクエスタ識別子とを備える、
前記コンテンツ再開要求に基づいてマーカサーバに情報再開要求を送信するための第２のモジュールと、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するための第３のモジュールと、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記第２の通信デバイスに情報を送信するための第４のモジュールと、ここで、前記情報は、前記マーカ情報に基づいて前記第１の通信デバイス上での前記コンテンツの保存状態で、前記第２の通信デバイス上で前記コンテンツへのアクセスを開始するように動作可能である、
前記第２の通信デバイスに前記コンテンツをダウンロードするための第５のモジュールと、
を備える、電子コンテンツを与えるように構成された少なくとも１つのプロセッサ。
【請求項２１】
第２の通信デバイスによって送信されるコンテンツ再開要求を受信するための手段と、ここで、前記コンテンツ再開要求は、要求コンテンツ識別子と、リクエスタ識別子とを備える、
前記コンテンツ再開要求に基づいてマーカサーバに情報再開要求を送信するための手段と、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するための手段と、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされる、
前記第２の通信デバイスに情報を送信するための手段と、ここで、前記情報は、前記マーカ情報に基づいて前記第１の通信デバイス上での前記コンテンツの保存状態で、前記第２の通信デバイス上で前記コンテンツへのアクセスを開始するように動作可能である、
前記第２の通信デバイスに前記コンテンツをダウンロードするための手段と
を備える、電子コンテンツを与えるための装置。
【請求項２２】
第２の通信デバイスによって送信されるコンテンツ再開要求を受信するように動作可能な通信モジュールと、ここで、前記コンテンツ再開要求は、要求コンテンツ識別子と、リクエスタ識別子とを備える、通信モジュールと、
前記コンテンツ再開要求に基づいて、マーカサーバに送信するための情報再開要求を生成するように動作可能なコンテンツモジュールと、ここで、前記情報再開要求は、前記要求コンテンツ識別子と、前記リクエスタ識別子とを備える、コンテンツモジュールと
を備え、
前記通信モジュールは、前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するようにさらに動作可能であり、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、前記コンテンツは、前記第１の通信デバイスにダウンロードされ、
前記コンテンツモジュールは、前記マーカ情報に基づいて前記第２の通信デバイスへの情報の送信を開始するようにさらに動作可能であり、前記情報は、前記マーカ情報に基づいて前記第１の通信デバイス上での前記コンテンツの保存状態で、前記第２の通信デバイス上で前記コンテンツへのアクセスを開始するように動作可能であり、
前記コンテンツモジュールは、前記第２の通信デバイスに前記コンテンツをダウンロードするようにさらに動作可能である、
電子コンテンツを与えるためのサーバ。
【請求項２３】
前記コンテンツモジュールは、前記保存状態で前記コンテンツを送信するための前記送信を開始するようにさらに動作可能である、請求項２２のサーバ。
【請求項２４】
前記コンテンツモジュールは、前記マーカ情報を送信するための前記送信を開始するようにさらに動作可能である、請求項２２のサーバ。
【請求項２５】
前記通信モジュールは、前記第２の通信デバイスに対応する第２のデバイスケイパビリティ情報を受信するようにさらに動作可能であり、前記コンテンツモジュールは、前記第２の通信デバイス上での提示のために前記コンテンツを再フォーマッティングするようにさらに動作可能であり、前記再フォーマッティングすることは、前記第２の通信デバイス上での前記コンテンツの前記提示に影響を及ぼす前記第２のデバイスケイパビリティ情報の少なくとも一部分に基づき、前記コンテンツモジュールは、前記第２の通信デバイスに前記再フォーマッティングされたコンテンツを送信するための前記送信を開始するようにさらに動作可能である、請求項２２のサーバ。
【請求項２６】
前記マーカ情報は、ゲームステータスまたは電子的に読取り可能な文書中のロケーションのうちの少なくとも１つをさらに備える、請求項２２のサーバ。
【請求項２７】
コンテンツを再開したいという要求を第２の通信デバイスがサーバシステムに送信することと、前記コンテンツを再開したいという要求は、要求コンテンツ識別子と、リクエスタ識別子とを備える、
前記コンテンツを再開したいという要求に応答して前記第２の通信デバイスが前記サーバシステムから情報を受信することと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記コンテンツは、前記第１の通信デバイスにダウンロードされ、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記サーバシステムから前記第２の通信デバイスに前記コンテンツをダウンロードすることと、
前記マーカ情報に基づいて前記第１の通信デバイス上での前記コンテンツの保存状態で、前記第２の通信デバイスが前記コンテンツにアクセスすることと、
を備える、電子コンテンツにアクセスする方法。
【請求項２８】
前記第２の通信デバイスが情報を受信することは、前記保存状態で前記コンテンツを受信することをさらに備える、請求項２７の方法。
【請求項２９】
前記第２の通信デバイスが情報を受信することは、前記マーカ情報を受信することをさらに備える、請求項２７の方法。
【請求項３０】
前記第２の通信デバイスに対応する第２のデバイスケイパビリティ情報を前記第２の通信デバイスが前記サーバシステムに送信することをさらに備え、
前記第２の通信デバイスが情報を受信することは、再フォーマッティングされたコンテンツを前記第２の通信デバイスが受信することをさらに備え、前記再フォーマッティングされたコンテンツは、前記第２の通信デバイス上での前記コンテンツの提示に影響を及ぼす前記第２のデバイスケイパビリティ情報の少なくとも一部分に基づいて、前記第２の通信デバイス上での前記提示のために再フォーマッティングされた前記コンテンツを備える、
請求項２７の方法。
【請求項３１】
前記第２の通信デバイスが前記コンテンツにアクセスすることは、ゲームステータスまたは電子的に読取り可能な文書中のロケーションのうちの少なくとも１つにアクセスすることをさらに備える、請求項２７の方法。
【請求項３２】
コンテンツを再開したいという要求を第２の通信デバイスからサーバシステムに送信することをコンピュータに行わせるための少なくとも１つの命令と、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信することを前記コンピュータに行わせるための少なくとも１つの命令と、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記コンテンツは、前記第１の通信デバイスにダウンロードされ、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記サーバシステムから前記第２の通信デバイスに前記コンテンツをダウンロードすることを前記コンピュータに行わせるための少なくとも１つの命令と、
前記マーカ情報に基づいて前記第１の通信デバイス上での前記コンテンツの保存状態で、前記第２の通信デバイス上で前記コンテンツにアクセスすることを前記コンピュータに行わせるための少なくとも１つの命令と、
を備える、電子コンテンツにアクセスするためのコンピュータ可読記録媒体。
【請求項３３】
コンテンツを再開したいという要求を第２の通信デバイスからサーバシステムに送信するための第１のモジュールと、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するための第２のモジュールと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記コンテンツは、前記第１の通信デバイスにダウンロードされ、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記サーバシステムから前記第２の通信デバイスに前記コンテンツをダウンロードするための第３のモジュールと、
前記マーカ情報に基づいて前記第１の通信デバイス上での前記コンテンツの保存状態で、前記第２の通信デバイス上で前記コンテンツにアクセスするための第４のモジュールと、
を備える、電子コンテンツにアクセスするように構成された少なくとも１つのプロセッサ。
【請求項３４】
コンテンツを再開したいという要求を第２の通信デバイスからサーバシステムに送信するための手段と、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するための手段と、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記コンテンツは、前記第１の通信デバイスにダウンロードされ、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記サーバシステムから前記第２の通信デバイスに前記コンテンツをダウンロードするための手段と、
前記マーカ情報に基づいて前記第１の通信デバイス上での前記コンテンツの保存状態で、前記第２の通信デバイス上で前記コンテンツにアクセスするための手段と、
を備える、電子コンテンツにアクセスするための装置。
【請求項３５】
コンテンツを提示するように動作可能な提示マネージャモジュールを備えるメモリと、
コンテンツを再開したいという要求をサーバシステムに送信するために前記提示マネージャモジュールを実行するように動作可能なプロセッサと、ここで、前記コンテンツを再開したいという要求は、要求コンテンツ識別子と、リクエスタ識別子とを備える、
前記コンテンツを再開したいという要求に応答して第２の通信デバイスにおいて前記サーバシステムから情報を受信し、前記サーバシステムから前記コンテンツをダウンロードするように動作可能な通信モジュールと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記コンテンツは、前記第１の通信デバイスにダウンロードされ、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、通信モジュールと、
を備え、
前記プロセッサは、前記マーカ情報に基づいて前記第１の通信デバイス上での前記コンテンツの保存状態で、前記第２の通信デバイス上で前記コンテンツにアクセスするために前記提示マネージャモジュールを実行するようにさらに動作可能である、
電子コンテンツにアクセスするための第２の通信デバイス。
【請求項３６】
前記情報は、前記保存状態での前記コンテンツをさらに備える、請求項３５の第２の通信デバイス。
【請求項３７】
前記情報は、前記マーカ情報をさらに備える、請求項３５の第２の通信デバイス。
【請求項３８】
前記プロセッサは、前記第２の通信デバイスに対応する第２のデバイスケイパビリティ情報を前記サーバシステムに送信するために前記提示マネージャモジュールを実行するようにさらに動作可能であり、
前記情報は、再フォーマッティングされたコンテンツをさらに備え、前記再フォーマッティングされたコンテンツは、前記第２の通信デバイス上での前記コンテンツの提示に影響を及ぼす前記第２のデバイスケイパビリティ情報の少なくとも一部分に基づいて、前記第２の通信デバイス上での前記提示のために再フォーマッティングされた前記コンテンツを備える、
請求項３５の第２の通信デバイス。
【請求項３９】
前記コンテンツは、ゲームステータスまたは電子的に読取り可能な文書中のロケーションのうちの少なくとも１つを備える、請求項３５の第２の通信デバイス。
【手続補正２】
【補正対象書類名】明細書
【補正対象項目名】００６９
【補正方法】変更
【補正の内容】
【００６９】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用できる。
以下に本願発明の当初の特許請求の範囲に記載された発明を付記する。
［Ｃ１］
第１の通信デバイスによって開始されるマーカ要求をサーバシステムにおいて受信することと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記サーバシステムにおいて前記マーカ要求を保存することと、
要求コンテンツ識別子およびリクエスタ識別子と、それぞれ、前記コンテンツ識別子および前記ユーザ識別子との間の一致を判断することと、ここで、前記要求コンテンツ識別子および前記リクエスタ識別子は、第２の通信デバイスによって送信されるコンテンツ再開要求に対応する、
一致が判断された場合、前記サーバシステムからコンテンツサーバへのまたは前記第２の通信デバイスへの前記マーカ情報の送信を開始することと、ここで、前記マーカ情報は、前記第１の通信デバイス上での前記コンテンツの保存状態で、前記第２の通信デバイス上で前記コンテンツへのアクセスを開始するように動作可能である、を備える電子コンテンツへのアクセスを管理する方法。
［Ｃ２］
前記第２の通信デバイスに対応する第２のデバイスケイパビリティ情報を前記サーバシステムにおいて受信することと、
前記サーバシステムから前記コンテンツサーバにまたは前記第２の通信デバイスにコンテンツフォーマッティング情報を送信することと、ここで、前記コンテンツフォーマッティング情報は、前記第２の通信デバイス上での前記コンテンツの提示に影響を及ぼす前記第２のデバイスケイパビリティ情報の少なくとも一部分に基づき、前記コンテンツフォーマッティング情報は、前記第２の通信デバイス上での提示のために前記コンテンツを再フォーマッティングするように前記コンテンツサーバ上でまたは前記第２の通信デバイス上で動作可能である、をさらに備える、Ｃ１の方法。
［Ｃ３］
前記第２の通信デバイスに対応する第２のデバイスケイパビリティ情報を前記サーバシステムにおいて受信することと、
前記第２の通信デバイス上での提示のために前記コンテンツを前記サーバシステムにおいて再フォーマッティングすることと、ここで、前記再フォーマッティングすることは、前記第２の通信デバイス上での前記コンテンツの前記提示に影響を及ぼす前記第２のデバイスケイパビリティ情報の少なくとも一部分に基づく、
前記第２の通信デバイスに前記再フォーマッティングされたコンテンツを送信することと、をさらに備える、Ｃ１の方法。
［Ｃ４］
前記第１の通信デバイスに対応する第１のデバイスケイパビリティ情報と、前記第２の通信デバイスに対応する第２のデバイスケイパビリティ情報とを前記サーバシステムにおいて受信することと、
前記第１のデバイスケイパビリティ情報と前記第２のデバイスケイパビリティ情報との間の差に基づいて前記マーカ情報を調整することと、ここで、前記差が、前記第２の通信デバイス上での前記コンテンツの提示に影響を及ぼす前記第２のデバイスケイパビリティ情報の少なくとも一部分に対応する、をさらに備え、
前記マーカ情報の前記送信を開始することは、前記サーバシステムから前記コンテンツサーバへのまたは前記第２の通信デバイスへの前記調整されたマーカ情報の送信を開始することをさらに備える、Ｃ１の方法。
［Ｃ５］
前記マーカ情報を受信することは、ゲームステータスまたは電子的に読取り可能な文書中のロケーションのうちの少なくとも１つを受信することをさらに備える、Ｃ１の方法。
［Ｃ６］
第１の通信デバイスによって開始されるマーカ要求を受信することをコンピュータに行わせるための少なくとも１つの命令と、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記マーカ要求を保存することを前記コンピュータに行わせるための少なくとも１つの命令と、
要求コンテンツ識別子およびリクエスタ識別子と、それぞれ、前記コンテンツ識別子および前記ユーザ識別子との間の一致を判断することを前記コンピュータに行わせるための少なくとも１つの命令と、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始することを前記コンピュータに行わせるための少なくとも１つの命令と、ここで、前記マーカ情報は、前記第１の通信デバイス上での前記コンテンツの保存状態で、前記第２の通信デバイス上で前記コンテンツへのアクセスを開始するように動作可能である、を備えるコンピュータ可読媒体を備える電子コンテンツへのアクセスを管理するためのコンピュータプログラム製品。
［Ｃ７］
第１の通信デバイスによって開始されるマーカ要求を受信するための第１のモジュールと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記マーカ要求を保存するための第２のモジュールと、
要求コンテンツ識別子およびリクエスタ識別子と、それぞれ、前記コンテンツ識別子および前記ユーザ識別子との間の一致を判断するための第３のモジュールと、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始するための第４のモジュールと、ここで、前記マーカ情報は、前記第１の通信デバイス上での前記コンテンツの保存状態で、前記第２の通信デバイス上で前記コンテンツへのアクセスを開始するように動作可能である、を備える電子コンテンツへのアクセスを管理するように構成された少なくとも１つのプロセッサ。
［Ｃ８］
第１の通信デバイスによって開始されるマーカ要求を受信するための手段と、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備える、
前記マーカ要求を保存するための手段と、
要求コンテンツ識別子およびリクエスタ識別子と、それぞれ、前記コンテンツ識別子および前記ユーザ識別子との間の一致を判断するための手段と、ここで、前記要求コンテンツ識別子および前記リクエスタ識別子は、第２の通信デバイスによって送信されるコンテンツ再開要求に対応する、
一致が判断された場合、コンテンツサーバへのまたは前記第２の通信デバイスへの前記マーカ情報の送信を開始するための手段と、ここで、前記マーカ情報は、前記第１の通信デバイス上での前記コンテンツの保存状態で、前記第２の通信デバイス上で前記コンテンツへのアクセスを開始するように動作可能である、を備える電子コンテンツへのアクセスを管理するための装置。
［Ｃ９］
第１の通信デバイスによって開始されるマーカ要求を受信するように動作可能な通信モジュールと、ここで、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記通信モジュールは、第２の通信デバイスによって送信されるコンテンツ再開要求を受信するようにさらに動作可能であり、前記コンテンツ再開要求は、要求コンテンツ識別子と、リクエスタ識別子とを備える、
前記マーカ要求を保存するように動作可能なメモリと、
前記要求コンテンツ識別子および前記リクエスタ識別子と、それぞれ、前記コンテンツ識別子および前記ユーザ識別子との間の一致を判断するように動作可能な、マーカプログラムを備えるマーカモジュールと、を備え、
前記マーカモジュールは、一致が判断された場合、前記サーバシステムからコンテンツサーバへのまたは前記第２の通信デバイスへの前記マーカ情報の送信を開始するようにさらに動作可能であり、前記マーカ情報は、前記第１の通信デバイス上での前記コンテンツの保存状態で、前記第２の通信デバイス上で前記コンテンツへのアクセスを開始するように動作可能である、
電子コンテンツへのアクセスを管理するためのサーバシステム。
［Ｃ１０］
前記通信モジュールは、前記第２の通信デバイスに対応する第２のデバイスケイパビリティ情報を受信するようにさらに動作可能であり、前記マーカモジュールは、前記コンテンツサーバにまたは前記第２の通信デバイスにコンテンツフォーマッティング情報を送信するようにさらに動作可能であり、前記コンテンツフォーマッティング情報は、前記第２の通信デバイス上での前記コンテンツの提示に影響を及ぼす前記第２のデバイスケイパビリティ情報の少なくとも一部分に基づき、前記コンテンツフォーマッティング情報は、前記第２の通信デバイス上での提示のために前記コンテンツを再フォーマッティングするように前記コンテンツサーバ上でまたは前記第２の通信デバイス上で動作可能である、Ｃ９のサーバシステム。
［Ｃ１１］
前記通信モジュールは、前記第２の通信デバイスに対応する第２のデバイスケイパビリティ情報を受信するようにさらに動作可能であり、前記マーカモジュールは、前記第２の通信デバイス上での提示のために前記コンテンツを前記サーバシステムにおいて再フォーマッティングするようにさらに動作可能であり、前記再フォーマッティングすることは、前記第２の通信デバイス上での前記コンテンツの前記提示に影響を及ぼす前記第２のデバイスケイパビリティ情報の少なくとも一部分に基づき、前記通信モジュールは、前記第２の通信デバイスに前記再フォーマッティングされたコンテンツを送信するようにさらに動作可能である、Ｃ９のサーバシステム。
［Ｃ１２］
前記通信モジュールは、前記第１の通信デバイスに対応する第１のデバイスケイパビリティ情報と、前記第２の通信デバイスに対応する第２のデバイスケイパビリティ情報とを受信するようにさらに動作可能であり、前記マーカモジュールは、前記第１のデバイスケイパビリティ情報と前記第２のデバイスケイパビリティ情報との間の差に基づいて前記マーカ情報を調整するようにさらに動作可能であり、前記差は、前記第２の通信デバイス上での前記コンテンツの提示に影響を及ぼす前記第２のデバイスケイパビリティ情報の少なくとも一部分に対応し、前記マーカ情報は、前記調整されたマーカ情報をさらに備える、Ｃ９のサーバシステム。
［Ｃ１３］
前記マーカ情報は、ゲームステータスまたは電子的に読取り可能な文書中のロケーションのうちの少なくとも１つをさらに備える、Ｃ９のサーバシステム。
［Ｃ１４］
第２の通信デバイスによって送信されるコンテンツ再開要求をコンテンツサーバにおいて受信することと、ここで、前記コンテンツ再開要求は、要求コンテンツ識別子と、リクエスタ識別子とを備える、
前記コンテンツ再開要求に基づいて前記コンテンツサーバからマーカサーバに情報再開要求を送信することと、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信することと、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信することと、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備える電子コンテンツを与える方法。
［Ｃ１５］
前記第２の通信デバイスに情報を送信することは、前記保存状態で前記コンテンツを送信することをさらに備える、Ｃ１４の方法。
［Ｃ１６］
前記第２の通信デバイスに情報を送信することは、前記マーカ情報を送信することをさらに備える、Ｃ１４の方法。
［Ｃ１７］
前記第２の通信デバイスに対応する第２のデバイスケイパビリティ情報を受信することと、
前記第２の通信デバイス上での提示のために前記コンテンツを再フォーマッティングすることと、ここで、前記再フォーマッティングすることは、前記第２の通信デバイス上での前記コンテンツの前記提示に影響を及ぼす前記第２のデバイスケイパビリティ情報の少なくとも一部分に基づく、をさらに備え、
前記第２の通信デバイスに情報を送信することは、前記第２の通信デバイスに前記再フォーマッティングされたコンテンツを送信することをさらに備える、Ｃ１４の方法。
［Ｃ１８］
前記マーカ情報を受信することは、ゲームステータスまたは電子的に読取り可能な文書中のロケーションのうちの少なくとも１つを受信することをさらに備える、Ｃ１４の方法。
［Ｃ１９］
第２の通信デバイスによって送信されるコンテンツ再開要求を受信することをコンピュータに行わせるための少なくとも１つの命令と、ここで、前記コンテンツ再開要求は、要求コンテンツ識別子と、リクエスタ識別子とを備える、
前記コンテンツ再開要求に基づいてマーカサーバに情報再開要求を送信することを前記コンピュータに行わせるための少なくとも１つの命令と、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信することを前記コンピュータに行わせるための少なくとも１つの命令と、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信することを前記コンピュータに行わせるための少なくとも１つの命令と、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備えるコンピュータ可読媒体、を備える電子コンテンツを与えるためのコンピュータプログラム製品。
［Ｃ２０］
第２の通信デバイスによって送信されるコンテンツ再開要求を受信するための第１のモジュールと、ここで、前記コンテンツ再開要求は、要求コンテンツ識別子と、リクエスタ識別子とを備える、
前記コンテンツ再開要求に基づいてマーカサーバに情報再開要求を送信するための第２のモジュールと、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するための第３のモジュールと、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信するための第４のモジュールと、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備える電子コンテンツを与えるように構成された少なくとも１つのプロセッサ。
［Ｃ２１］
第２の通信デバイスによって送信されるコンテンツ再開要求を受信するための手段と、ここで、前記コンテンツ再開要求は、要求コンテンツ識別子と、リクエスタ識別子とを備える、
前記コンテンツ再開要求に基づいてマーカサーバに情報再開要求を送信するための手段と、ここで、前記情報再開要求は、前記要求コンテンツ識別子と、前記リクエスタ識別子とを備える、
前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するための手段と、ここで、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備える、
前記第２の通信デバイスに情報を送信するための手段と、ここで、前記情報は、前記マーカ情報に基づいて前記第１の通信デバイス上での前記コンテンツの保存状態で、前記第２の通信デバイス上で前記コンテンツへのアクセスを開始するように動作可能である、を備える電子コンテンツを与えるための装置。
［Ｃ２２］
第２の通信デバイスによって送信されるコンテンツ再開要求を受信するように動作可能な通信モジュールと、ここで、前記コンテンツ再開要求は、要求コンテンツ識別子と、リクエスタ識別子とを備える、通信モジュールと、
前記コンテンツ再開要求に基づいて、マーカサーバに送信するための情報再開要求を生成するように動作可能なコンテンツモジュールと、ここで、前記情報再開要求は、要求コンテンツ識別子と、リクエスタ識別子とを備える、コンテンツモジュールとを備え、
前記通信モジュールは、前記要求コンテンツ識別子および前記リクエスタ識別子と、それぞれ、マーカ情報およびデータキー情報との間の一致を前記マーカサーバが判断したことに基づいて、前記マーカサーバからマーカ情報を受信するようにさらに動作可能であり、前記マーカ情報および前記データキー情報は、第１の通信デバイスによって送信されるマーカ要求に対応し、前記マーカ情報は、前記第１の通信デバイス上でのコンテンツの保存状態を表し、前記データキー情報は、前記コンテンツに対応するコンテンツ識別子と、ユーザ識別子とを備え、
前記コンテンツモジュールは、前記マーカ情報に基づいて前記第２の通信デバイスへの情報の送信を開始するようにさらに動作可能であり、前記情報は、前記マーカ情報に基づいて前記第１の通信デバイス上での前記コンテンツの保存状態で、前記第２の通信デバイス上で前記コンテンツへのアクセスを開始するように動作可能である、電子コンテンツを与えるためのサーバ。
［Ｃ２３］
前記コンテンツモジュールは、前記保存状態で前記コンテンツを送信するための前記送信を開始するようにさらに動作可能である、Ｃ２２のサーバ。
［Ｃ２４］
前記コンテンツモジュールは、前記マーカ情報を送信するための前記送信を開始するようにさらに動作可能である、Ｃ２２のサーバ。
［Ｃ２５］
前記通信モジュールは、前記第２の通信デバイスに対応する第２のデバイスケイパビリティ情報を受信するようにさらに動作可能であり、前記コンテンツモジュールは、前記第２の通信デバイス上での提示のために前記コンテンツを再フォーマッティングするようにさらに動作可能であり、前記再フォーマッティングすることは、前記第２の通信デバイス上での前記コンテンツの前記提示に影響を及ぼす前記第２のデバイスケイパビリティ情報の少なくとも一部分に基づき、前記コンテンツモジュールは、前記第２の通信デバイスに前記再フォーマッティングされたコンテンツを送信するための前記送信を開始するようにさらに動作可能である、Ｃ２２のサーバ。
［Ｃ２６］
前記マーカ情報は、ゲームステータスまたは電子的に読取り可能な文書中のロケーションのうちの少なくとも１つをさらに備える、Ｃ２２のサーバ。
［Ｃ２７］
第１の通信デバイスにおいて記憶されたコンテンツにアクセスすることと、
前記第１の通信デバイスにおいてマーカ要求を生成することと、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信することと、ここで、前記マーカ情報は、前記第１の通信デバイス上での前記コンテンツの保存状態で、第２の通信デバイス上で前記コンテンツへのアクセスを開始するように動作可能である、を備える電子コンテンツにアクセスするための方法。
［Ｃ２８］
前記マーカ要求を送信することは、前記第１の通信デバイスのためのデバイスケイパビリティ情報を得ることと、前記コンテンツに影響を及ぼす前記デバイスケイパビリティ情報の少なくとも一部分を前記マーカ要求に含めることとをさらに備える、Ｃ２７の方法。
［Ｃ２９］
前記コンテンツを実行することを再開したいという要求を前記第１の通信デバイスにおいて生成することと、ここで、前記コンテンツを実行することを再開したいという前記要求は、要求コンテンツ識別子と、リクエスタ識別子とを備える、
前記マーカ要求の前記マーカ情報に基づいて、前記第１の通信デバイス上での前記コンテンツの保存状態で前記コンテンツ、または前記マーカ情報のいずれかを受信することと、ここで、前記受信することは、前記要求コンテンツ識別子および前記リクエスタ識別子と、それぞれ、マーカ情報およびデータキー情報との間の一致を前記サーバシステムが判断したことに基づく、
前記マーカ要求の前記マーカ情報に基づいて、前記第１の通信デバイス上での前記コンテンツの保存状態で前記コンテンツを実行することと、をさらに備える、Ｃ２７の方法。
［Ｃ３０］
前記マーカ要求を生成することは、ゲームステータスまたは電子的に読取り可能な文書中のロケーションのうちの少なくとも１つを生成することをさらに備える、Ｃ２７の方法。
［Ｃ３１］
第１の通信デバイスにおいて記憶されたコンテンツにアクセスすることをコンピュータに行わせるための少なくとも１つの命令と、
前記第１の通信デバイスにおいてマーカ要求を生成することを前記コンピュータに行わせるための少なくとも１つの命令と、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信することを前記コンピュータに行わせるための少なくとも１つの命令と、ここで、前記マーカ情報は、前記第１の通信デバイス上での前記コンテンツの保存状態で、第２の通信デバイス上で前記コンテンツへのアクセスを開始するように動作可能である、を備えるコンピュータ可読媒体、を備える電子コンテンツにアクセスするためのコンピュータプログラム製品。
［Ｃ３２］
第１の通信デバイスにおいて記憶されたコンテンツにアクセスするための第１のモジュールと、
前記第１の通信デバイスにおいてマーカ要求を生成するための第２のモジュールと、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信するための第３のモジュールと、ここで、前記マーカ情報は、前記第１の通信デバイス上での前記コンテンツの保存状態で、第２の通信デバイス上で前記コンテンツへのアクセスを開始するように動作可能である、を備える電子コンテンツにアクセスするように構成された少なくとも１つのプロセッサ。
［Ｃ３３］
第１の通信デバイスにおいて記憶されたコンテンツにアクセスするための手段と、
前記第１の通信デバイスにおいてマーカ要求を生成するための手段と、ここで、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備える、
後で前記コンテンツへのアクセスを与える際に使用するために前記マーカ要求を前記第１の通信デバイスからサーバシステムに送信するための手段と、ここで、前記マーカ情報は、前記第１の通信デバイス上での前記コンテンツの保存状態で、第２の通信デバイス上で前記コンテンツへのアクセスを開始するように動作可能である、を備える電子コンテンツにアクセスするための装置。
［Ｃ３４］
提示マネージャモジュールとコンテンツとを備えるメモリと、
前記メモリ中の前記コンテンツにアクセスするために前記提示マネージャモジュールを実行するように動作可能なプロセッサと、を備え、
前記プロセッサは、マーカ要求を生成するために前記提示マネージャモジュールを実行するようにさらに動作可能であり、前記マーカ要求は、マーカ情報とデータキー情報とを備え、前記マーカ情報は、前記第１の通信デバイス上でアクセスされたコンテンツの保存状態を表し、前記データキー情報は、前記コンテンツに対応するコンテンツ識別子と、ユーザ識別子とを備え、
前記プロセッサは、後で前記コンテンツへのアクセスを与える際に使用するために前記マーカ要求を前記第１の通信デバイスからサーバシステムに送信するために前記提示マネージャモジュールを実行するようにさらに動作可能であり、前記マーカ情報は、前記第１の通信デバイス上での前記コンテンツの保存状態で、第２の通信デバイス上で前記コンテンツへのアクセスを開始するように動作可能である、電子コンテンツにアクセスするための第１の通信デバイス。
［Ｃ３５］
前記メモリは、前記第１の通信デバイスのためのデバイスケイパビリティ情報を備え、前記プロセッサは、前記コンテンツに影響を及ぼす前記デバイスケイパビリティ情報の少なくとも一部分を前記マーカ要求に含めるために前記提示マネージャモジュールを実行するようにさらに動作可能である、Ｃ３４の第１の通信デバイス。
［Ｃ３６］
前記プロセッサは、前記コンテンツを実行することを再開したいという要求を前記第１の通信デバイスにおいて生成するために前記提示マネージャモジュールを実行するようにさらに動作可能であり、前記コンテンツを実行することを再開したいという前記要求は、要求コンテンツ識別子と、リクエスタ識別子とを備え、
前記プロセッサは、前記マーカ要求の前記マーカ情報に基づいて、前記第１の通信デバイス上での前記コンテンツの保存状態で前記コンテンツ、または前記マーカ情報のいずれかを受信するために前記提示マネージャモジュールを実行するようにさらに動作可能であり、前記受信することは、前記要求コンテンツ識別子および前記リクエスタ識別子と、それぞれ、マーカ情報およびデータキー情報との間の一致を前記サーバシステムが判断したことに基づき、
前記プロセッサは、前記マーカ要求の前記マーカ情報に基づいて、前記第１の通信デバイス上での前記コンテンツの保存状態で前記コンテンツを実行するようにさらに動作可能である、Ｃ３４の通信デバイス。
［Ｃ３７］
前記マーカ要求は、ゲームステータスまたは電子的に読取り可能な文書中のロケーションのうちの少なくとも１つをさらに備える、Ｃ３４の第１の通信デバイス。
［Ｃ３８］
コンテンツを再開したいという要求を第２の通信デバイスからサーバシステムに送信することと、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信することと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスすることと、を備える電子コンテンツにアクセスする方法。
［Ｃ３９］
前記第２の通信デバイスにおいて情報を受信することは、前記保存状態で前記コンテンツを受信することをさらに備える、Ｃ３８の方法。
［Ｃ４０］
前記第２の通信デバイスにおいて情報を受信することは、前記マーカ情報を受信することをさらに備える、Ｃ３８の方法。
［Ｃ４１］
前記第２の通信デバイスに対応する第２のデバイスケイパビリティ情報を前記サーバシステムに送信することをさらに備え、
前記第２の通信デバイスにおいて情報を受信することは、再フォーマッティングされたコンテンツを前記第２の通信デバイスにおいて受信することをさらに備え、前記再フォーマッティングされたコンテンツは、前記第２の通信デバイス上での前記コンテンツの提示に影響を及ぼす前記第２のデバイスケイパビリティ情報の少なくとも一部分に基づいて、前記第２の通信デバイス上での前記提示のために再フォーマッティングされた前記コンテンツを備える、
Ｃ３８の方法。
［Ｃ４２］
前記第２の通信デバイス上で前記コンテンツにアクセスすることは、ゲームステータスまたは電子的に読取り可能な文書中のロケーションのうちの少なくとも１つにアクセスすることをさらに備える、Ｃ３８の方法。
［Ｃ４３］
コンテンツを再開したいという要求を第２の通信デバイスからサーバシステムに送信することをコンピュータに行わせるための少なくとも１つの命令と、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信することを前記コンピュータに行わせるための少なくとも１つの命令と、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は。マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスすることを前記コンピュータに行わせるための少なくとも１つの命令と、を備えるコンピュータ可読媒体、を備える電子コンテンツにアクセスするためのコンピュータプログラム製品。
［Ｃ４４］
コンテンツを再開したいという要求を第２の通信デバイスからサーバシステムに送信するための第１のモジュールと、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するための第２のモジュールと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスするための第３のモジュールと、を備える電子コンテンツにアクセスするように構成された少なくとも１つのプロセッサ。
［Ｃ４５］
コンテンツを再開したいという要求を第２の通信デバイスからサーバシステムに送信するための手段と、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するための手段と、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、
前記マーカ情報に基づいて前記第１の通信デバイス上での前記コンテンツの保存状態で、前記第２の通信デバイス上で前記コンテンツにアクセスするための手段と、を備える電子コンテンツにアクセスするための装置。
［Ｃ４６］
コンテンツを提示するように動作可能な提示マネージャモジュールを備えるメモリと、
コンテンツを再開したいという要求をサーバシステムに送信するために前記提示マネージャモジュールを実行するように動作可能なプロセッサと、ここで、前記コンテンツを再開したいという要求は、要求コンテンツ識別子と、リクエスタ識別子とを備える、
前記コンテンツを再開したいという要求に応答して前記第２の通信デバイスにおいて前記サーバシステムから情報を受信するように動作可能な通信モジュールと、ここで、前記情報は、第１の通信デバイスによって生成されたマーカ要求に基づいて、前記第１の通信デバイス上でのコンテンツの保存状態で、前記第２の通信デバイス上で前記コンテンツへのアクセスを開始するように動作可能であり、前記マーカ要求は、マーカ情報とデータキー情報とを備え、前記マーカ情報は、前記第１の通信デバイス上でのコンテンツの保存状態を表し、前記データキー情報は、前記コンテンツに対応するコンテンツ識別子と、ユーザ識別子とを備え、前記情報を受信することは、前記コンテンツを再開したいという要求の前記要求コンテンツ識別子および前記リクエスタ識別子と、それぞれ、前記マーカ要求の前記マーカ情報およびデータキー情報との間の一致を前記サーバシステムが判断したことに基づく、通信モジュールと、を備え、
前記プロセッサは、前記マーカ情報に基づいて前記第１の通信デバイス上での前記コンテンツの保存状態で、前記第２の通信デバイス上で前記コンテンツにアクセスするために前記提示マネージャモジュールを実行するようにさらに動作可能である、電子コンテンツにアクセスするための第２の通信デバイス。
［Ｃ４７］
前記情報は、前記保存状態での前記コンテンツをさらに備える、Ｃ４６の第２の通信デバイス。
［Ｃ４８］
前記情報は、前記マーカ情報をさらに備える、Ｃ４６の第２の通信デバイス。
［Ｃ４９］
前記プロセッサは、前記第２の通信デバイスに対応する第２のデバイスケイパビリティ情報を前記サーバシステムに送信するために前記提示マネージャモジュールを実行するようにさらに動作可能であり、
前記情報は、再フォーマッティングされたコンテンツをさらに備え、前記再フォーマッティングされたコンテンツは、前記第２の通信デバイス上での前記コンテンツの提示に影響を及ぼす前記第２のデバイスケイパビリティ情報の少なくとも一部分に基づいて、前記第２の通信デバイス上での前記提示のために再フォーマッティングされた前記コンテンツを備える、Ｃ４６の第２の通信デバイス。
［Ｃ５０］
前記コンテンツは、ゲームステータスまたは電子的に読取り可能な文書中のロケーションのうちの少なくとも１つを備える、Ｃ４６の第２の通信デバイス。
【外国語明細書】
2014209355000001.pdf